(57)【要約】【課題】  プリペイド機能を有する記録媒体を使用した容易で手軽であると共に、記録媒体を紛失した場合等の安全性を高めた課金情報管理システム、及び課金情報管理方法、これに使用する情報処理装置を提供する。【解決手段】  課金情報管理システム１０１は、ＵＩＤが予め記録された次世代ＭＤ２等のディスク１０２の記録再生装置１０３と、記録再生装置１０３に接続され、ネットワークに接続可能な通信制御装置１０４と、ユーザが購入した商品に対する決済を行う決済サーバ１０６と、ユーザが購入する商品を提供するコンテンツ提供サーバ１０７とを有する。決済サーバ１０７は、ディスクＵＩＤ及び装置ＵＩＤに対応づけてプリペイド金額を管理する使用ディスクＤＢ１０６ｂを有し、ディスクＵＩＤ及び装置ＵＩＤを送信してきた通信制御装置１０４の要求等に応じて、対応するプリペイド金額を更新することで決済を行う。【選択図】  図１
2005078213.tif 000002
【特許請求の範囲】
【請求項１】
プリペイド情報を管理する管理サーバと、ネットワークを介して該管理サーバと通信可能な情報処理装置とを有する課金情報管理システムにおいて、
上記情報処理装置は、
データ記録領域を有し記録媒体自体を識別する固有の媒体識別情報が記録された記録媒体の該媒体識別情報と、該データ記録領域にデータを記録する記録手段を有する記録装置に固有の装置識別情報とを読み出す読出手段と、
上記記録媒体のデータ記録領域に記録可能な商品を購入する際に、上記媒体識別情報及び装置識別情報を上記管理サーバに送信する送信手段と、
上記商品を受信する受信手段とを有し、
上記管理サーバは、
上記媒体識別情報及び装置識別情報にプリペイド金額が対応付けられたプリペイド情報データベースと、
上記媒体識別情報及び装置識別情報を受信する受信手段と、
上記プリペイド情報データベースの、上記受信手段により受信した上記媒体識別情報及び装置識別情報に対応付けられたプリペイド金額を更新することで、購入される商品の対価としての課金処理を実行する決済手段とを有する
ことを特徴とする課金情報管理システム。
【請求項２】
上記情報処理装置は、受信した上記商品を上記記録手段により上記記録媒体に記録させる記録処理手段を有する
ことを特徴とする請求項１記載の課金情報管理システム。
【請求項３】
上記管理サーバは、上記媒体識別情報と未使用プリペイド金額とが対応付けられた未使用プリペイド情報データベースを有する
ことを特徴とする請求項１記載の課金情報管理システム。
【請求項４】
上記管理サーバは、上記受信手段により受信した上記媒体識別情報及び上記未使用プリペイド情報データベースに基づき上記プリペイド情報データベースを更新するデータベース管理手段を有する
ことを特徴とする請求項３記載の課金情報管理システム。
【請求項５】
上記管理サーバは、上記プリペイド情報データベースに同一の上記装置識別情報に対して複数の媒体識別情報が対応付けられている場合、該同一の装置識別情報に対応付けられているプリペイド金額を共用可能に管理する
ことを特徴とする請求項１記載の課金情報管理システム。
【請求項６】
上記商品を提供する商品サーバを有し、
上記商品サーバは、上記情報処理情報の要求に応じて、上記管理サーバの決済手段により課金処理が終了したことを確認した場合に上記商品を送信する商品送信手段を有する
ことを特徴とする請求項１記載の課金情報管理システム。
【請求項７】
上記記録媒体に記録可能な商品は、コンテンツ又はプログラムデータである
ことを特徴とする請求項１記載の課金情報管理システム。
【請求項８】
上記記録媒体は光磁気ディスクであり、
上記媒体識別情報は、上記光磁気ディスクのリードインエリアより更に内周側に書き換え不能に記録されたものである
ことを特徴とする請求項１記載の課金情報管理システム。
【請求項９】
上記記録媒体は、データが記録されるトラックが蛇行形成された第１の領域と、蛇行したトラックが未形成の第２の領域とを有する光磁気ディスクであり、上記第２の領域に上記媒体識別情報が記録されている
ことを特徴とする請求項１記載の課金情報管理システム。
【請求項１０】
プリペイド情報を管理する管理サーバと、ネットワークを介して該管理サーバと通信可能な情報処理装置とを有する課金情報管理システムの課金情報管理方法において、
上記情報処理装置が、データ記録領域を有し記録媒体自体を識別する固有の媒体識別情報が記録された記録媒体の該媒体識別情報と、該データ記録領域にデータを記録する記録手段を有する記録装置に固有の装置識別情報とを読み出す読出工程と、
上記記録媒体のデータ記録領域に記録可能な商品を購入する際に、上記媒体識別情報及び装置識別情報にプリペイド金額が対応付けられたプリペイド情報データベースを有する上記管理サーバに対し、上記読出工程にて読み出した媒体識別情報及び装置識別情報を送信する送信工程と、
上記管理サーバが受信した上記媒体識別情報及び装置識別情報に対する上記プリペイド情報データベースのプリペイド金額を更新することで、購入する商品の対価としての課金処理を実行する決済処理工程とを有する
ことを特徴とする課金情報管理方法。
【請求項１１】
上記決済終了後に上記情報処理装置が上記商品を受信する受信工程を有する
ことを特徴とする請求項１０記載の課金情報管理方法。
【請求項１２】
上記受信工程にて受信した商品を上記記録媒体に記録する記録工程を有する
ことを特徴とする請求項１１記載の課金情報管理方法。
【請求項１３】
ネットワークを介して外部の機器と通信可能な情報処理装置において、
データ記録領域を有し記録媒体自体を識別する固有の媒体識別情報が記録された記録媒体の該媒体識別情報、及び該データ記録領域にデータを記録する記録手段を有する記録装置に固有の装置識別情報を読み出す読出手段と、
上記記録媒体のデータ記録領域に記録可能な商品を購入する際に、上記媒体識別情報及び装置識別情報にプリペイド金額が対応付けられたプリペイド情報データベースを有する管理サーバに対し、上記読出手段により読み出された媒体識別情報及び装置識別情報を送信する送信手段と、
上記管理サーバにて上記プリペイド情報データベースのプリペイド金額を更新することで、購入する商品の対価としての課金処理を実行する決済処理が終了した場合に、該商品を受信する受信手段とを有する
ことを特徴とする情報処理装置。
【請求項１４】
上記決済が終了した商品を上記記録媒体に記録させる記録処理手段を有する
ことを特徴とする請求項１３記載の情報処理装置。
【請求項１５】
上記記録媒体に記録可能な商品は、コンテンツ又はプログラムデータである
ことを特徴とする請求項１４記載の情報処理装置。
【発明の詳細な説明】
【技術分野】
【０００１】
本発明は、ユーザが所有する記録媒体に対する課金情報を管理することで、ユーザが音楽等のコンテンツやプログラムデータを極めて簡便に購入可能な課金情報管理システム及び課金情報管理方法、並びにこれに使用する情報処理装置に関する。
【背景技術】
【０００２】
近年、インターネット等の通信回線を利用して、音楽、映像、テキスト等の各種のコンテンツをユーザに有料提供するサービスが実用化されている。音楽配信を例に挙げると、ユーザは例えば自分で所有するパーソナルコンピュータ（ＰＣ）等の通信制御装置を用いて、インターネットの有償の音楽ダウンロードサイトに接続し、該サイトに表示されている配信音楽の購入メニューを見て所望の音楽コンテンツを選択し、ダウンロードを要求する。これによってユーザの端末装置の記録媒体、例えばハードディスク等に音楽コンテンツがダウンロードされ、つまりユーザは音楽データを入手できたものとなる。このときの代金に関しては、例えばクレジットカード番号を入力することで代金決済が行われるようにしていることが多い。
【０００３】
また、音楽ショップやコンビニエンスストア等の店頭に設置されている専用端末によりユーザが音楽コンテンツを購入できるシステムもある。この場合ユーザは音楽記録可能な記録媒体（ディスク）として例えば例えばミニディスクＭＤ（登録商標）又は他の光磁気ディスクなどのディスクを用意し、その専用端末装置に装填する。この専用端末装置は音楽コンテンツサーバと接続され、音楽コンテンツのダウンロードが可能とされる。即ちユーザは専用端末装置において購入したい所望の楽曲を選択することで、装填したミニディスク等に音楽が記録されるものである。この場合の代金決済は、上記同様にクレジットカード番号の入力でもよいが、例えば自動販売機形態としてユーザが現金を投入できるようにすることも可能である。
【０００４】
このような音楽配信により、ユーザは所望のコンテンツを容易に入手できるものとなるが、代金決済に関して、クレジットカード番号を入力する方式の決済は、クレジットカードを所有していないユーザには不可能であり、コンテンツダウンロードサービスを享受できるユーザが限定されてしまったり、クレジットカード番号（個人データ）を入力する必要があり安全性に欠ける。更に、専用のプリペイドカードを利用するという方式も知られているが、プリペイドカードの入手が面倒であることや、ユーザにそれなりの利用知識が要求される。
【０００５】
更にまた、クレジットカード番号やプリペイドカード番号の入力による決済では、その入力操作やシステム上の知識なども或る程度必要になり、コンピュータを苦手とする人には適切でなく、結局、コンテンツ購入ができないといったことも生じる。また、上記のような専用端末装置では現金決済が可能であるが、ユーザがコンテンツを購入する際に、コンテンツを記録するメディアだけでなく、購入するコンテンツ毎に現金を投入することは面倒に感じるものとなる。
【０００６】
そこで、ユーザがより容易に、手軽に、且つ安心して配信コンテンツの購入を実現できるようにすることを目的とした通信配信システムが下記特許文献１に記載されている。この特許文献１に記載の通信配信システムにおいては、ユーザが、プリペイド金額、記録媒体固有のＩＤ及びコンテンツ配信サービスを行うサーバのアドレスからなるプリペイド情報が書換不能に記録されたメディアを購入する。通信配信システムは、このメディアの記録再生装置に接続されプリペイド情報を読み出すＰＣ等の通信端末と、プリペイド情報を管理するサーバとを有し、サーバは、通信端末から送信されたプリペイド情報に基づく課金情報を登録し、通信端末からの要求に応じてコンテンツを提供し、課金情報の更新を行うことでコンテンツの対価としての課金処理を実行する。
【０００７】
【特許文献１】特開２００２−８１１５号公報
【発明の開示】
【発明が解決しようとする課題】
【０００８】
しかしながら、上記特許文献１に記載の技術においては、サーバは、メディアに書換不能に記録されたプリペイド情報の登録・更新により、コンテンツ購入に対する決済を行うため、ユーザがこのプリペイド情報が記録されたメディアを紛失した場合に、他のユーザに無断でプリペイドした残金を使用される可能性があり、また、プリペイドした残金を取り戻す手段がないという問題点がある。
【０００９】
本発明は、このような従来の実情に鑑みて提案されたものであり、プリペイド機能を有する記録媒体を使用した容易で手軽であると共に、記録媒体を紛失した場合等の安全性を高めた課金情報管理システム、及び課金情報管理方法、これに使用する情報処理装置を提供することを目的とする。
【課題を解決するための手段】
【００１０】
上述した目的を達成するために、本発明に係る課金情報管理システムは、プリペイド情報を管理する管理サーバと、該管理サーバとネットワークを介して通信可能な情報処理装置とを有する課金情報管理システムにおいて、上記情報処理装置は、データ記録領域を有し固有の媒体識別情報が記録された記録媒体の該媒体識別情報と、該データ記録領域にデータを記録する記録手段を有する記録装置に固有の装置識別情報とを読み出す読出手段と、上記記録媒体のデータ記録領域に記録可能な商品を購入する際に、上記媒体識別情報及び装置識別情報を上記管理サーバに送信する送信手段と、上記商品を受信する受信手段とを有し、上記管理サーバは、上記媒体識別情報及び装置識別情報を受信する受信手段と、上記媒体識別情報及び装置識別情報にプリペイド金額が対応付けられたプリペイド情報データベースと、上記プリペイド情報データベースの、上記受信手段により受信した上記媒体識別情報及び装置識別情報に対応付けられたプリペイド金額を更新することで、購入される商品の対価としての課金処理を実行する決済手段とを有する。
【００１１】
本発明においては、コンテンツ又はプログラムデータ等を購入可能なプリペイド金額が管理される管理サーバにて、プリペイド金額と媒体識別情報及び装置識別情報とを対応付けて管理するため、記録媒体を紛失した場合、例えばそれを他のユーザが使用しても、当該他のユーザには装置識別情報が不明であるため、プリペイド残金を勝手に使用されることがない。
【００１２】
また、上記情報処理装置は、受信した上記商品を上記記録手段により上記記録媒体に記録させる記録処理手段を有することで、記録媒体の媒体識別情報に対応付けられたプリペイド金額を使用し、当該記録媒体に商品を記録させることができる。
【００１３】
更に、上記管理サーバは、上記媒体識別情報と未使用プリペイド金額とが対応付けられた未使用プリペイド情報データベースを有することができ、例えば、上記管理サーバは、上記受信手段により受信した上記媒体識別情報及び上記未使用プリペイド情報データベースに基づき上記プリペイド情報データベースを更新するデータベース管理手段を有することができる。
【００１４】
更にまた、上記管理サーバは、上記プリペイド情報データベースに同一の上記装置識別情報に対して複数の媒体識別情報が対応付けられている場合、該同一の装置識別情報に対応付けられているプリペイド金額を共用可能に管理することができ、残金に端数があったり、記録媒体を紛失したりした場合に、他の記録媒体に対して残金を移すことができる。
【００１５】
本発明に係る課金情報管理方法は、プリペイド情報を管理する管理サーバと、該管理サーバとネットワークを介して通信可能な情報処理装置とを有する課金情報管理システムの課金情報管理方法において、上記情報処理装置が、データ記録領域を有し固有の媒体識別情報が記録された記録媒体の該媒体識別情報と、該データ記録領域にデータを記録する記録手段を有する記録装置に固有の装置識別情報とを読み出す読出工程と、上記記録媒体のデータ記録領域に記録可能な商品を購入する際に、上記媒体識別情報及び装置識別情報にプリペイド金額が対応付けられたプリペイド情報データベースを有する管理サーバに対し、上記読出工程にて読み出した媒体識別情報及び装置識別情報を送信する送信工程と、上記管理サーバが受信した上記媒体識別情報及び装置識別情報に対する上記プリペイド情報データベースのプリペイド金額を更新することで、購入する商品の対価としての課金処理を実行する決済処理工程とを有することを特徴とする。
【００１６】
本発明に係る情報処理装置は、ネットワークを介して外部の機器と通信可能な情報処理装置において、データ記録領域を有し記録媒体自体を識別する固有の媒体識別情報が記録された記録媒体の該媒体識別情報、及び該データ記録領域にデータを記録する記録手段を有する記録装置に固有の装置識別情報を読み出す読出手段と、上記記録媒体のデータ記録領域に記録可能な商品を購入する際に、上記媒体識別情報及び装置識別情報にプリペイド金額が対応付けられたプリペイド情報データベースを有する管理サーバに対し、上記読出手段により読み出された媒体識別情報及び装置識別情報を送信する送信手段と、上記管理サーバにて上記プリペイド情報データベースのプリペイド金額を更新することで、購入する商品の対価としての課金処理を実行する決済処理が終了した場合に、該商品を受信する受信手段とを有することを特徴とする。
【００１７】
本発明においては、媒体識別情報及び装置識別情報にプリペイド金額が対応付けられ、これが管理サーバにて管理されているため、商品購入に際しては、媒体識別情報及び装置識別情報を送信し、決済を待って商品を受信すればよく、個人データを入力する必要がないので安全性が高いと共に、プリペイド金額には装置識別情報も対応付けられているため、例えば媒体を紛失しても他人にプリペイド残金が使用されることがない。
【発明の効果】
【００１８】
以上詳細に説明したように本発明に係る課金情報管理システムは、プリペイド情報を管理する管理サーバと、該管理サーバとネットワークを介して通信可能な情報処理装置とを有する課金情報管理システムにおいて、上記情報処理装置は、データ記録領域を有し固有の媒体識別情報が記録された記録媒体の該媒体識別情報と、該データ記録領域にデータを記録する記録手段を有する記録装置に固有の装置識別情報とを読み出す読出手段と、上記記録媒体のデータ記録領域に記録可能な商品を購入する際に、上記媒体識別情報及び装置識別情報を上記管理サーバに送信する送信手段と、上記商品を受信する受信手段とを有し、上記管理サーバは、上記媒体識別情報及び装置識別情報を受信する受信手段と、上記媒体識別情報及び装置識別情報にプリペイド金額が対応付けられたプリペイド情報データベースと、上記プリペイド情報データベースの、上記受信手段により受信した上記媒体識別情報及び装置識別情報に対応付けられたプリペイド金額を更新することで、購入される商品の対価としての課金処理を実行する決済手段とを有するので、記録媒体を紛失した場合、例えばそれを他のユーザが使用しても、当該他のユーザはプリペイド残金を勝手に使用することができないため安全性が高いと共に、媒体識別情報及び装置識別情報を送信し、プリペイド金額を更新することで商品を購入するので極めて手軽である。
【発明を実施するための最良の形態】
【００１９】
以下、本発明を適用した具体的な実施の形態について、図面を参照しながら詳細に説明する。この実施の形態は、本発明を、配信されるコンテンツを記録する記録媒体として、ユニーク（Unique）な識別情報（以下、ＵＩＤという。）を有する次世代ＭＤ（ミニディスク：登録商標）１０２を使用し、このＵＩＤに対応したプリペイド情報を決済サーバ側で管理することにより、ユーザのコンテンツの購入を安全且つ簡単に行うことができる課金情報管理システムに適用したものである。
【００２０】
次世代ＭＤ２のＵＩＤは、ディスク製造時に記録される情報であって、ディスク１枚１枚を特定するための固有の情報であり、ユニークな識別情報である。このＵＩＤは、光ディスクの著作権保護、及びデータ改竄防止等のためにも使用することができる。ここでは、先ず本実施の形態における課金情報管理システムについて説明し、次にＵＩＤを有する次世代ＭＤ２について詳細に説明する。
【００２１】
また、ここでは、ＵＩＤを有する記録媒体として次世代ＭＤ２を例にとって説明するが、ＵＩＤを有する記録媒体は次世代ＭＤ２に限らず、例えばＵＭＤ１．５又はＨｉＭＤ１．５とも言われるディスクや、ＭＯ、ＣＤ−Ｒ、ＣＤ−ＲＷ、ＤＶＤ−ＲＡＭ、ＤＶＤ−ＲＷ、ＤＶＤ＋ＲＷ等として一般に呼ばれている各種ディスク、或いはフラッシュメモリを内蔵したメモリカードなど他のメディア等にも適用することができる。また、特別にＵＩＤを有するメディアに限らず、例えば製造番号等のメディアに固有の情報を用いて同様のサービスを提供するも可能である。
【００２２】
（１）課金情報管理システム
図１は、本実施の形態における課金情報管理システムを示すブロック図である。図１に示すように、課金情報管理システム１０１は、ＵＩＤが予め記録された次世代ＭＤ２等の記録媒体（ディスク）１０２に対してデータを記録し、また記録されたデータを再生する記録再生装置１０３と、記録再生装置１０３に接続された例えばパーソナルコンピュータ（ＰＣ）等の外部機器であって、ネットワークに接続可能な通信制御装置１０４と、通信制御装置１０４とネットワーク１０５を介して接続され、ユーザが購入した商品に対する決済を行う決済サーバ１０６と、ユーザが購入する商品を提供するコンテンツ提供サーバ１０７とを有する。
【００２３】
この課金情報管理システム１０１は、上記ディスク１０２に記録可能であってユーザが購入可能な情報として、楽曲データ、ゲーム等のプログラムデータ、テキストデータ、静止画像又は動画像等のビデオデータ等を、決済サーバ１０６及びコンテンツ管理サーバ１０７からなるサーバ側から、記録再生装置１０３及び通信制御装置１０４からなる端末側に有料で提供できるシステムである。
【００２４】
記録再生装置１０３は、通信制御装置１０４と例えばＵＳＢ（Universal Serial Bus：登録商標）ケーブル等の伝送路で接続されることで、通信制御装置１０４に対する外部ストレージ機器として機能できる。また、通信制御装置１０４を介したり、或いは直接ネットワークと接続できる機能を備える等してネットワーク接続されることで、音楽や各種データをダウンロードし、記録再生装置１０３に装填されたディスク（ＭＤ）に保存できるものともなる。
【００２５】
この記録再生装置１０３は、記録再生装置自体に固有の識別情報（以下、装置ＵＩＤという。）が記憶された記憶部１０３ａと、ディスク１０２のＵＩＤ（以下、ディスクＵＩＤという。）を読出し、自身の装置ＵＩＤを読み出し、暗号化する暗号化部１０３ｂとを有している。暗号化部１０３ｂにより暗号化されたディスクＵＩＤ及び装置ＵＩＤは、通信制御装置１０４へ送られる。また、ここでは、ディスクＵＩＤ及び装置ＵＩＤを暗号化するものとしたが、特に必要がない場合には暗号化することなく、また、例えば通信制御装置４にて暗号化してもよい。
【００２６】
また、装置ＵＩＤは、ディスクＵＩＤを読み出し送信するために用いられる装置自体を個別に識別する識別情報とすることができ、記録再生装置１０３における例えば製造番号や、製造番号にメーカコード及び／又は記録再生装置のカテゴリーコード等を合わせたものとすることができる。なお、装置ＵＩＤは、装置内の記憶部１０３ａに記憶されているものとしたが、ユーザが装置ＵＩＤを通信制御装置４に入力するようにしてもよい。
【００２７】
通信制御装置１０４は、例えばユーザが自宅等に設置してあるＰＣ等の情報機器を用いて構成したものであってもよいし、また配信専用端末などの形態で、音楽ショップ等の店頭に設置されるものであってもよい。更に、ＰＤＡ（Personal Digital Assistants）機器、携帯電話装置、車載用機器等の無線通信端末であってもよい。即ち、ネットワーク１０５を介してサーバ１０６、１０７と通信可能な機器であればどのようなものでもよい。
【００２８】
また、本実施の形態においては、記録再生装置１０３と通信制御装置１０４とを別々の機器、即ち通信制御装置１０４に対して、例えば記録再生装置１０３が接続されたものとして説明するが、これらが一体型となっているような、例えば一般家庭用のオーディオ／ビデオ機器において通信機能を備え、配信サービスの享受が可能とされるような記録再生装置１０３に通信制御装置１０４としての部位が一体的に設けられた装置機器等としたり、ＰＣやＰＤＡ機器等の通信制御装置において、ディスク１０２に対する記録再生ドライブを備えたものとしてもよい。
【００２９】
ネットワーク１０５は、例えばＩＳＤＮ回線などの公衆回線でもよいし、専用回線としてもよい。また有線の通信ネットワークに限らず、無線電話回線、衛星通信回線などの無線通信ネットワークであってもよい。
【００３０】
サーバ１０６、１０７は、コンテンツ等の情報提供サービスを行う組織や個人によって運営されるもので、基本的には、各種コンテンツを蓄積するコンテンツ保有機能、通信制御装置４との間の通信により保有しているコンテンツを提供する機能、通信制御装置１０４を用いてコンテンツ提供を受けるユーザに対する課金管理を行う課金機能等を有するものとなる。これらの各機能は、１つの組織、会社等によって全体的に運営されてもよいが、それぞれが異なる組織、会社、個人等によって運営され、連係的に動作されるものであってもよい。例えば各機能のそれぞれがインターネット上のＷｅｂページとして運営され、互いにリンクにより連係動作がとられるようにしてもよい。
【００３１】
ここでは、ユーザがコンテンツを購入した際のコンテンツの対価として代金を決済する課金情報管理サーバとしての決済サーバ１０６と、商品としてのコンテンツを保有し、ユーザの要求に応じて提供するコンテンツ管理サーバ１０７とを有する場合について説明する。
【００３２】
決済サーバ１０６は、ディスクＵＩＤと未使用プリペイド金額とが対応付けられた未使用プリペイド情報データベース（以下、未使用ディスクＤＢという。）１０６ａと、ディスクＵＩＤ及び装置ＵＩＤにプリペイド金額が対応付けられたプリペイド情報データベース（使用ディスクＤＢ）１０６ｂとを有している。
【００３３】
更に、決済サーバ１０６は、コンテンツを購入しようとする情報制御装置４から又はコンテンツ管理サーバ１０７の決済要求に応じ、図示せぬ受信手段にてディスクＵＩＤ及び装置ＵＩＤを受信し、このディスクＵＩＤ及び装置ＵＩＤに対応したプリペイド情報を有する使用ディスクＤＢ１０６ｂのプリペイド残金（課金情報）を更新することで、通信制御装置１０４が購入する商品の対価としての課金処理を実行する図示せぬ決済手段を有する。
【００３４】
これらの未使用ディスクＤＢ１０６ａ、使用ディスクＤＢ１０６ｂは、例えばハードディスク、光ディスク等の記録媒体により形成され、しようディスクＤＢ１０６ｂには、個々のディスク１０２に記録されているディスクＵＩＤ及び記録再生装置３に固有の装置ＵＩＤに対応して、課金情報が登録されるものである。
【００３５】
図２（ａ）及び（ｂ）は、未使用ディスクＤＢ１０６ａ及び使用ディスクＤＢ１０６ｂを示す模式図である。未使用ディスクＤＢ１０６ａは、図２（ａ）に示すように、ディスクＵＩＤに課金情報が対応付けられたものである。また、図２（ｂ）に示すように、使用ディスクＤＢは、ディスクＵＩＤ及び装置ＵＩＤのセットに課金情報が対応付けられたものである。
【００３６】
決済サーバ１０６は、ディスクＵＩＤ及び装置ＵＩＤを受信した場合、これらが使用ディスクＤＢ１０６ｂに存在するか否かを判断し、存在しない場合には、未使用ディスクＤＢ１０６ａのディスクＵＩＤ及びプリペイドされている課金情報を読み出す。そして、使用ディスクＤＢ１０６ｂに、ディスクＵＤ及び課金情報と共に装置ＵＩＤを登録する。この登録により、以降は装置ＵＩＤ及びディスクＵＩＤのいずれについても一致しなければ課金情報を更新して決済が行えないようになっている。このように、決済サーバ１０６は、使用ディスクＤＢ１０６ｂに対して課金情報の登録及び更新や読出の制御を行う。
【００３７】
図１に戻って、コンテンツ管理サーバ１０７は、ユーザに提供する各種コンテンツをコンテンツデータベース１０７ａに保有し、ユーザの要求に応じて、ユーザにコンテンツを送信する。ここで、コンテンツ管理サーバ１０７は、ユーザから購入要求があると、決済サーバ１０６に決済が完了したか否かの確認をし、決済済みである場合にのみコンテンツを送信するようなされている。
【００３８】
コンテンツＤＢ１０７ａは例えばハードディスク、光ディスクなどの記録媒体により形成され、このコンテンツＤＢ１０７ａには、例えば多数の音楽コンテンツが、ユーザに対する提供サービス用のコンテンツとして音楽ライブラリ形式で格納されている。
【００３９】
また、これらサーバ１０６、１０７としての各部位は、上述したように１つの組織、会社、個人等により運営されてもよいし、それぞれ異なる組織等によって運営されてもよい。例えば決済サーバ１０６は、配信サービス会社や課金サービス会社によって運営され、コンテンツ管理サーバ１０７は、レコード会社、レコードレーベル会社等によって運営されてもよい。また、コンテンツ管理サーバ１０７は複数存在してもよい。
【００４０】
このような課金情報管理システム１０１においては、ユーザは端末側において所有するディスク１０２を記録再生装置１０３に装填する。通信制御装置１０４は、記録再生装置１０３を介してディスクのＵＩＤを読み出し、サーバ１０６、１０７との間で通信接続を行い、例えば提供可能なコンテンツのリスト（メニュー）を受け取る。ユーザはリストの中で所望のコンテンツを選択する操作を行うと、決済サーバ１０６にて決済が行われ、決済処理終了後にコンテンツ管理サーバ１０７に要求したコンテンツが通信制御装置１０４に送信されてくる。通信制御装置１０４は、購入したコンテンツを記録再生装置１０３によりディスク１０２に記録させる。これによってユーザは所望の楽曲等を入手できるものとなる。
【００４１】
ユーザは、予め所定の金額がプリペイドされたディスク１０２を購入する。このディスク１０２は、ディスクＵＩＤを有し、このＵＩＤに対応するプリペイド金額が課金情報として決済サーバ１０６で管理されているものである。
【００４２】
ユーザは、ディスク１０２に記録されているディスクＵＩＤ及び記録再生装置の装置ＵＩＤのセット情報を利用し、このプリペイド金額を使用してコンテンツを購入することができる。詳しくは後述するが、通信制御装置１０４は、ディスクＵＩＤ及び装置ＵＩＤを決済サーバ１０６に送信し、これを受信した決済サーバ１０６は、ディスクＵＩＤと課金情報とが対応付けられた未使用ディスクＤＢ１０６ａを参照し、装置ＵＩＤと共に使用ディスクＤＢ１０６ｂに登録し、ユーザがコンテンツを購入する際には、課金情報を更新、即ちプリペイド金額から減算する。このような決済方法により、ユーザは、登録したディスク及び記録再生装置のセットでのみコンテンツを購入することができる。これにより、例えばユーザがまだ残金を有するディスクを紛失したような場合であっても、残金を他人に使用されることがない。また、後述するように、ディスクと共に支払ったプリペイド金額の残金は、装置ＵＩＤが同一であれば他のディスクＵＩＤと共用することができ、プリペイド金額の残金の端数なども有効に利用できるようになされている。
【００４３】
図３は、記録再生装置１０３の一例を示すブロック図である。記録再生装置１０３は、ドライブ１１１、ドライブコントローラ１１２、インターフェースコントローラ１１３、インターフェース１１４、プログラム記憶部１１５を有する。
【００４４】
ドライブ１１１は、ディスク１０２に対して情報の記録再生を行う部位であり、上述した暗号化部１０３ｂを有する。例えば本実施の形態の如く、ディスク１０２を次世代ＭＤ２とする場合は、記録再生ヘッド、エンコード／デコード部、データバッファ部、サーボ部などを有し、ディスク１０２に対して情報の書込や読出を行う部位となる。なおドライブ１１１としては、ディスク１０２を装填するスロット数は１つでもよいが、複数設けられてもよい。特に複数設けることで、例えば一のディスクの課金情報を他のディスクと共用する場合等の課金処理の都合上、複数のディスク１０２を装填することで便利となる場合がある。また１種類のディスクに対応するのみでなく、例えばミニディスク用のドライブ構造とメモリカード用のドライブ構造をともに備え、複数種類のディスク１０２に対応可能としてもよい。
【００４５】
ドライブコントローラ１１２は、ドライブ１１１の記録再生動作や、インターフェースコントローラ１１３との通信など、記録装置１１０の全体を制御する。つまりネットワーク接続装置１２０からの要求に応じて、コンテンツデータの転送、ディスク１０２への書込又は読出、プリペイド情報の読出や転送などの動作が実行されるように各部を制御する。ドライブコントローラ１１２の制御動作は、固体メモリ又はハードディスク等により形成されているプログラム記憶部１１５に記憶されているプログラムに基づいて実行される。プログラム記憶部１１５には、記録装置１１０の各種動作のための基本的な制御プログラムのほか、特に本例の場合はディスク１０４からディスクＵＩＤを読み出し、記録再生装置１０３の記憶部から装置ＵＩＤを読み出すためのアプリケーションプログラム（プリペイドサービス対応アプリケーション）が記憶されている。プリペイドサービス対応アプリケーションプログラムに基づいてドライブコントローラ１１２がドライブ１１１を制御することで、ディスク１０２からディスクＵＩＤを読み出し、記録再生装置１０３から装置ＵＩＤを読み出し、通信制御装置１０４に転送し、本例のシステムの課金処理動作に供することができる。
【００４６】
インターフェース１１４は通信制御装置１０４との間のインターフェースであり、インターフェースコントローラ１１３によって各種情報の転送（送受信）が行われる。
【００４７】
図４は、通信制御装置を示すブロック図である。通信制御装置１０４は、インターフェース１２１、インターフェースコントローラ１２２、ＣＰＵ１２３、ネットワークインターフェースコントローラ１２４、ネットワークインターフェース１２５、データ記憶部１２６、プログラム記憶部１２７、表示部１２８ａ、音声出力部１２８ｂ、入力部１２９を有する。
【００４８】
インターフェース１２１は記録再生装置１０３との間のインターフェースであり、インターフェースコントローラ１２２の制御によって記録装置１１０との間で各種情報の転送が行われる。
【００４９】
ＣＰＵ１２３は、通信制御装置１０４の全体の制御を行う。即ち情報配信のためのサーバ３との間の通信接続や各種データの送受信動作、ユーザインターフェース処理、記録再生装置１０３との間の各種データの送受信等についての各部に対する制御を行う。ＣＰＵ１２３の制御動作は、プログラム記憶部１２７に記憶されているプログラムに基づいて実行される。プログラム記憶部１２７は固体メモリ又はハードディスク等により形成される。このプログラム記憶部１２７には、通信制御装置１０４の各種動作のための基本的な制御プログラムのほか、特に本例の場合はコンテンツ配信処理のためのアプリケーションプログラムや、記録再生装置１０３から転送されてきたディスクＵＩＤ及び装置ＵＩＤを送信するためのアプリケーションプログラムが記憶されている。本課金情報管理システム対応のアプリケーションプログラムに基づいてＣＰＵ１２３が、ディスクＵＩＤ及び装置ＵＩＤを決済サーバ１０６への送信を行うことで、ディスクＵＩＤ及び装置ＵＩＤを本課金情報管理システムの課金処理動作に供することができる。なお、ディスクＵＩＤ及び装置ＵＩＤは、記録再生装置１０３の暗号化部３ａにて行ってもよいが、この通信制御装置１０４にて、決済サーバ１０６への送信の際に、課金情報管理システム対応のアプリケーションプログラムに基づいて、暗号化や所定のエンコードなどの処理をＣＰＵ１２３が実行してもよい。
【００５０】
また、データ記憶部１２６も例えば固体メモリ又はハードディスク等により形成されるが、ＣＰＵ１２３はデータ記憶部１２６を、サーバ１０７からダウンロードしたコンテンツのバッファリングや記録装置１１０から転送されてきたプリペイド情報のバッファリングに用いたり、或いはＣＰＵ１２３における演算処理のために拡張的なワークメモリとして用いることができる。
【００５１】
ネットワークインターフェース１２５はネットワークに対する通信インターフェースでありネットワークインターフェースコントローラ１２４に制御される。ネットワークインターフェース１２５は例えばモデムなどにより形成されてもよいし、無線通信部であってもよい。
【００５２】
表示部１２８ａ、音声出力部１２８ｂ、及び入力部１２９は端末におけるユーザインターフェースとなる。表示部１２８ａは、ユーザに対して配信コンテンツのメニュー画面や各種操作画面、案内画面などを表示する。音声出力部１２８ｂは、例えばオーディオデコーダ、Ａ／Ｄ変換器、オーディオ処理部、増幅部、スピーカ部等を備え、音声出力を行う部位である。例えば本例の配信システムはコンテンツの購入に先立って、音楽コンテンツの試聴も可能とされるが、その場合ＣＰＵ１２３は、コンテンツサーバ１０７から供給された試聴用のコンテンツを音声出力部１２８ｂに供給し、ユーザに試聴させることができる。入力部１２９はユーザが操作入力を行う部位である。例えば操作キー、操作ダイヤルでもよいし、キーボードや、マウスその他のポインティングデバイス等であってもよい。もちろん表示部１２８ａと一体化されたタッチパネル操作部であってもよい。
【００５３】
図５は、決済サーバ１０６を示すブロック図である。決済サーバ１０６は、伝送部１５１、伝送コントローラ１５２、ＣＰＵ１５３、データベースコントローラ１５４、データ記憶部１５５、プログラム記憶部１５６、表示部１５７、入力部１５８を有する。
【００５４】
伝送部１５１は、ネットワークを介した情報の伝送を行う。伝送コントローラ１５２は、伝送部１５１による送受信動作を制御する。
【００５５】
ＣＰＵ１５３は、決済サーバ１０６の全体の制御を行う。即ち、使用ディスクＤＢ等の登録・更新動作などについての各部に対する制御を行う。ＣＰＵ１５３の制御動作は、プログラム記憶部１５６に記憶されているプログラムに基づいて実行される。プログラム記憶部１５６は固体メモリ又はハードディスク等により形成される。このプログラム記憶部１５６には、顧客データベース１７０へのアクセスや管理のためのプログラムや、ネットワーク配信装置１３０との間の通信動作、伝送するデータについての処理などに関する制御プログラムが記憶されている。
【００５６】
またデータ記憶部１５５も例えば固体メモリ又はハードディスク等により形成される。ＣＰＵ１５３はデータ記憶部１５５を、顧客データベース１７０から読み出した課金情報や、プリペイド情報に基づいて新規登録させる課金情報のバッファリングに用いたり、或いはＣＰＵ１５３における演算処理のために拡張的なワークメモリとして用いることができる。
【００５７】
データベースコントローラ１５４は、ＣＰＵ１５３の指示に基づいて未使用ディスクＤＢ１０６ａからデータを読み出し、使用ディスクＤＢ１０６ｂに登録したり、決済要求に応じて使用ディスクＤＢ１０６ｂを更新したりする決済手段となる。
【００５８】
表示部１５７及び入力部１５８は未使用ディスクＤＢ１０６ａ及び使用ディスクＤＢ１０６ｂの管理者に対するインターフェースとなる。表示部１５７には、ＣＰＵ１５３の制御によりＤＢ１０６ａ、１０６ｂの管理に必要な画像が表示され、入力部１５８から使用ディスクＤＢ１０６ｂの管理のための各種操作を行うことができる。
【００５９】
未使用ディスクＤＢ１０６ａには、ユーザがディスク１０２を購入する際、先払いとして支払う金額がディスク１０２のＵＩＤに対応して記録される。即ち、ディスク１０２は、例えばコンテンツとしては何も記録されていない未使用のミニディスクやメモリカードとして販売されるが、その販売価格はプリペイド金額を含むものとされる。
【００６０】
上述したように、ここで記録されたプリペイド金額（課金情報）は、記録再生装置の装置ＵＩＤと共に通信制御装置１０４を介して決算サーバ１０６へ送られることで、ディスクＵＩＤ及び装置ＵＩＤのセット情報に対応付けられた課金情報をユーザが使用可能、即ちこれを使用してコンテンツ等の情報を購入が可能になる。
【００６１】
また、ディスク１０２には、決済サーバ１０６のＵＲＬが記録されていてもよい。ユーザは、このＵＲＬを読出すことで、決済サーバ１０６に用意にアクセス可能となる。また、例えば決済サーバ１０６には、コンテンツ購入先となるコンテンツ管理サーバ１０７へのリンクがはられていてもよい。また、コンテンツ管理サーバ１０７は複数あってもよいことは勿論である。又は、ディスク１０２に決済サーバ１０６のＵＲＬと共にコンテンツ管理サーバ１０７のＵＲＬ等が記録されていてもよい。更には、ディスクＵＩＤ及び装置ＵＩＤを暗号化して決済サーバ１０６へ自動送信可能なアプリケーションが記録されていてもよい。
【００６２】
以上のような情報は、ユーザがプリペイド金額を用意に決済に利用するための情報であるが、これらの情報は、プリペイド金額の残金がゼロになる等すると不要になる場合がある。そのような場合にこれを削除可能とするため、ディスク１０２のデータ記録領域に記録しておき、必要に応じてユーザサイドで削除するようにしてもよい。又は、残金がゼロになった時点で自動的に削除されるようにしてもよい。
【００６３】
また、ユーザがディスクＤ１に対して先払いしたプリペイド金額の残金が例えば３００円であり、ユーザが購入したいコンテンツが５００円であるような場合、又はユーザがディスクＤ１を紛失した場合であっても、ディスクＤ１のプリペイド金額の残金を有効に利用する必要がある。
【００６４】
そこで、決済サーバ１０６のデータベースコントローラ１５４は、ユーザの要求により、使用ディスクＤＢ１０６ｂに対し、１つの記録再生装置の装置ＵＩＤと、複数のディスク１０２のディスクＵＩＤとを対応付け、これらのプリペイド金額を共用して更新する処理を行うことができる。
【００６５】
図６は、使用データベースを示す他の例である。図６に示すように、１つの装置ＵＩＤに対し、複数のディスクＵＩＤが登録されている。ユーザサイドでは、例えばディスク１０２を他人に貸したり、落としたりしたとしても、プリペイド金額の残金が残っていても記録再生装置が異なれば、プリペイド金額の残金を使用することがないため、極めて安全である。
【００６６】
更に、ディスクＤ１に対応するディスクＵＩＤ１と、装置Ｍ１に対応する装置ＵＩＤ＃１とに対応づけたプリペイド金額を登録し、他のディスクＤ２に対応するディスクＵＩＤ２と上記装置ＵＩＤ＃１とに対応づけたプリペイド金額を登録した場合、使用ディスクＤＢ１０６ｂにおいて、装置ＵＩＤ＃１に２つのディスクＵＩＤ１，２が対応し、夫々に対応する残金とをまとめて管理するようなされている。
【００６７】
そして、ユーザの要求に応じて、ディスクＵＩＤ１からディスクＵＩＤ２への残金の移転、ディスクＵＩＤ２からディスクＵＩＤ１への残金の移転等が自由に行えるようになっており、たとえ、ディスクＤ１を紛失したとしても、ユーザは記録再生装置にディスクＤ２を装着し、決済サーバ１０６に接続して、ディスクＵＩＤ１の残金をディスクＵＩＤ２の残金に移す処理を行えばよい。
【００６８】
以下、プリペードディスクを利用してコンテンツを購入し、購入したコンテンツをディスクに記録するまでの処理方法について説明する。図７乃至図１０は、夫々記録再生装置１０３、通信制御装置１０４、決済サーバ１０６及びコンテンツ管理サーバ１０７における処理方法を示すフローチャートである。
【００６９】
図７に示すように、記録再生装置１０３においては、先ず、ディスク１０２からディスクＵＩＤを読み出し、更に自身に固有の装置ＵＩＤを読み出す（ステップＳ１）。次に、通信制御装置１０４へ、ディスクＵＩＤ及び装置ＵＩＤを送信する（ステップＳ２）。この際、これらディスクＵＩＤ及び装置ＵＩＤを暗号化部１０３ｂにて暗号化して送信してもよい。
【００７０】
そして、ユーザがコンテンツを購入した場合、コンテンツを通信制御装置１０４から受信し（ステップＳ３）、ディスク１０２に記録する（ステップＳ４）。
【００７１】
また、通信制御装置１０４においては、図８に示すように、ユーザがコンテンツ管理サーバ１０７に接続する等して販売サイトで商品を購入する。これにより、販売サイトから商品決済のため、ディスクＵＩＤ及び装置ＵＩＤが要求される（ステップＳ２１）。
【００７２】
これを受けた通信制御装置１０４は、ディスクＵＩＤ及び装置ＵＩＤを記録再生装置１０３から受信し（ステップＳ２２）、受信したディスクＵＩＤ及び装置ＵＩＤを決済サーバ１０７に送信する（ステップＳ２３）。なお、ここでは、決済サーバ１０６にディスクＵＩＤ及び装置ＵＩＤを送信するものとするが、販売サイトへディスクＵＩＤ及び装置ＵＩＤを送信し、これを受信した販売サイトが決済サーバ１０６へ送信してもよい。
【００７３】
決済サーバ１０６にて決済が完了すると、販売サイトからコンテンツが提供され（ステップＳ２４）、受信したコンテンツを記録再生装置１０３へ送信する（ステップＳ２５）。決済ができない場合には、コンテンツは送信されず、その理由を通知する情報、例えば決済に失敗しました、残金が不足しています、又はディスクの記録容量を確認して下さい等の情報が送信される等して処理が終了する。
【００７４】
更に、決済サーバ１０６では、図９に示すように、先ず、ディスクＵＩＤ及び装置ＵＩＤを受信する（ステップＳ３１）と、使用ディスクＤＢにディスクＵＩＤがあるか否かが判定される（ステップＳ３２）。使用ディスクＤＢにディスクＵＩＤが存在しない場合は、未使用ディスクであると判断され、未使用ディスクＤＢからプリペイド金額（課金情報）を読出し、更に未使用ディスクＤＢから、このディスクＵＩＤに対応する情報を削除する（ステップＳ３３）。そして、読出したプリペイド金額と、ディスクＵＩＤ及び装置ＵＩＤとを使用ディスクＤＢ１０６ｂに登録する（ステップＳ３４）。
【００７５】
一方、ステップＳ３２にて、使用ディスクＤＢ１０６ｂにディスクＵＩＤが存在すると判断された場合、使用ディスクＤＢ１０６ｂにディスクＵＩＤに対応する装置ＵＩＤが存在するか否かが判定される。そして、ステップＳ３５にて存在すると判定されるか、上述のステップＳ３４にて登録されると、ステップＳ３７に進む。
【００７６】
ステップＳ３７では、決済金額が残金以下であるか否かが判断され、残金が決済金額より大きい場合には、決済がなされ、残金の更新が行われる（ステップＳ３８）。こうして残金更新が行われると、決済完了した旨を伝える通知をコンテンツ管理サーバ１０７に送信し、処理を終了する。
【００７７】
また、使用ディスクＤＢ１０６ｂに、ステップＳ３５にて、決済サーバ１０６が受信したディスクＵＩＤ及び装置ＵＩＤのうち、ディスクＵＩＤに対応する装置ＵＩＤが、受信した装置ＵＩＤと一致しない場合、他の装置用ディスクＵＩＤであるとしてエラー処理、具体的には、ディスクと記録再生装置が一致していない旨の通知をユーザサイドに送信する等して処理を終了する。
【００７８】
また、ステップＳ３７において、決済金額が残金より大きかった場合、残金不足としてエラー処理、具体的には、残金が不足しています、等の通知をユーザサイドに送信する等して処理を終了する。
【００７９】
また、コンテンツ管理サーバ７において、図１０に示すように、ユーザからのコンテンツ購入要求に応じて、決済サーバ１０６に対し、決済金額を通知する等して決済を確認し、決済が完了したか否かの確認を行う（ステップＳ４１）。そして、決済サーバ１０６から決済完了の通知を受け取ると、要求されたコンテンツを通信制御装置１０４に送信する。
【００８０】
本実施の形態においては、決済サーバにて、ディスクＵＩＤ及び装置ＵＩＤの両方を使用してプリペイド情報を登録・更新するため、例えばユーザがディスクを紛失した場合や、他人に貸したりした場合であっても、プリペイド金額が使用されることがなく、簡単且つ非常に安全にプリペードメディアを利用することができる。
【００８１】
また、装置ＵＩＤを使用することにより、ディスク間の残金の移動が容易である。例えば上記特許文献１では、ディスクを２枚装着した状態で、一方のディスクの残金を他方のディスクの残金に移動するため、記録再生装置にディスクを複数枚装着可能とする必要があったが、本実施の形態においては、装置ＵＩＤを使用し、ディスクＵＩＤと共に登録するためその必要がない。
【００８２】
なお、通常は、記録再生装置を紛失する可能性の方が小さいと考えられ、従ってディスクＵＩＤがなくても装置ＵＩＤが一致すれば、同一装置ＵＩＤ間では残金移動を可能としたものであるが、購入する情報の使用の用途によっては、同一ディスクであれば、異なる装置ＵＩＤであっても残金移動できるような構成としてもよい。
【００８３】
更に、後述するように、本実施の形態におけるディスクは、次世代ＭＤ２を使用することができる。次世代ＭＤ２のディスクＵＩＤは、リードインエリアより内周側のミラー領域に書換え不能に記録されており、これを利用してすることで、従来のように、Ｐ−ＴＯＣに記録したり、Ｕ−ＴＯＣに書換え不能に記録するための工夫をする等の煩雑な処理を低減することができる。
【００８４】
更にまた、上述の実施の形態においては、決済サーバ１０６は、ディスクＵＩＤと記録再生装置１０３の装置ＵＩＤとで使用ディスクＤＢ１０６ｂを管理するものとしたが、上述したように、記録再生装置１０３ではなく、所有者又は使用者が特定できるような場合は、通信制御装置１０４自体を識別可能な固有の識別情報を使用したり、例えばメールアドレス等、ユーザに固有の情報を使用したりして、これら他の識別情報と、ディスクＵＩＤとで使用ディスクＤＢ１０６ｂを管理するようにしてもよい。
【００８５】
（２）次世代ＭＤ２
次に、上述の課金管理システムに好適に使用されるＵＩＤ付きのディスクの一具体例として、次世代ＭＤ２及びそのＵＩＤについて詳細に説明する。なお、以下に説明する次世代ＭＤ２は、ＵＭＤ３又はＨｉＭＤ３とも言われ、従来のＭＤと互換性を持ちつつ高密度記録が可能な記録媒体であるが、上述したように、本実施の形態の課金管理システムに好適に使用される媒体自体を識別可能な固有の識別情報付き記録媒体としては、この次世代ＭＤ２に限らず、固有の識別情報が書換え不能に記録されたものであって、記録可能な領域を有するメディアであればよい。
【００８６】
次世代ＭＤ２は、直径を略６４ｍｍとなし、例えば楽音信号で７４分以上の記録を可能となす記憶容量を備えたミニディスクＭＤ（登録商標）と呼ばれる従来型の小径の光ディスク（以下、第１世代ＭＤという。）とは異なり、外形、光学系は、第１世代ＭＤと互換性を保ちながらも、トラックピッチを１．２５μｍに狭め、かつ例えばグルーブから磁壁移動検出（Domain Wall Displacement Detection：ＤＷＤＤ）によって記録マークを検出することにより、飛躍的に容量を増加させたものである。
【００８７】
なお、ミニディスクには、ピットによりデータが記録されている再生専用型と、光磁気記録（ＭＯ）方式によりデータが記録されており再生も可能な記録再生型の２種類があるが、以下の説明は、記録再生型の小径光ディスク（以下、光磁気ディスクという。）に関する。
【００８８】
第１世代ＭＤ（従来ＭＤ）は、トラックピッチ１．６μｍでグルーブ記録、また記録データの変調方式として、ＥＦＭ（８−１４変換）変調方式が採用されている。この第１世代ＭＤの物理フォーマットは、以下のように定められている。トラックピッチは、１．６μｍ、ビット長は、０．５９μｍ／ｂｉｔとなる。また、レーザ波長λは、λ＝７８０ｎｍであり、光学ヘッドの開口率は、ＮＡ＝０．４５としている。記録方式としては、グルーブ（ディスク盤面上の溝）をトラックとして記録再生に用いるグルーブ記録方式を採用している。また、アドレス方式は、ディスク盤面上にシングルスパイラルのグルーブを形成し、このグルーブの両側に対してアドレス情報としてのウォブル（Wobble）を形成したウォブルドグルーブを利用する方式を採っている。なお、本明細書では、ウォブリングにより記録される絶対アドレスをＡＤＩＰ（Address in Pregroove）ともいう。
【００８９】
更に第１世代ＭＤは、誤り訂正方式として、ＡＣＩＲＣ(Advanced Cross Interleave Reed-Solomon Code)を用いている。また、データインタリーブには、畳み込み型を採用している。これにより、データの冗長度は、４６．３％となっている。
【００９０】
また、第１世代ＭＤにおけるデータの検出方式は、ビットバイビット方式であって、ディスク駆動方式としては、ＣＬＶ(Constant Linear Verocity)が採用されている。ＣＬＶの線速度は、１．２ｍ／ｓである。
【００９１】
記録再生時の標準のデータレートは、１３３ｋＢ／ｓ、記録容量は、１６４ＭＢ（ＭＤ−ＤＡＴＡでは、１４０ＭＢ）である。また、データの最小書換単位（クラスタ）は、３２個のメインセクタと４個のリンクセクタによる３６セクタで構成されている。
【００９２】
このような第１世代ＭＤに対し、トラックピッチ及び記録レーザ光の記録波長或いは対物レンズのＮＡ等を改善することにより記録容量を上げたものが次世代ＭＤ１及び本実施の形態における記録媒体としての次世代ＭＤ２である。
【００９３】
次世代ＭＤ１は、従来の媒体（ディスクやカートリッジ）はそのままに、変調方式や、論理構造などを変更してユーザエリア等を倍密度にし、記録容量を例えば３００ＭＢに増加したＭＤである。次世代ＭＤ１における記録媒体の物理的仕様は、第１世代ＭＤと同一であり、トラックピッチは、１．６μｍ、レーザ波長λは、λ＝７８０ｎｍであり、光学ヘッドの開口率は、ＮＡ＝０．４５である。記録方式としては、グルーブ記録方式を採用している。また、アドレス方式は、ＡＤＩＰを利用する。このように、ディスクドライブ装置における光学系の構成やＡＤＩＰアドレス読出方式、サーボ処理は、第１世代ＭＤと同様である。
【００９４】
この次世代ＭＤ１や、本実施の形態における次世代ＭＤ２は、複製が可能であり、かつ記録容量が増加されているので、ディスク間の不正コピーが行われるとその被害は甚大なものとなる。
【００９５】
そこで次世代ＭＤ１では、ＤＤＴ（Disc description table）にDisc IDとして多数のディスクからある一枚を一意に特定するための識別番号が記録されるようになっている。これは、記録再生装置側にてフォーマット時に１７ＰＰ信号にて乱数記録される。
【００９６】
これに対し、本実施の形態の記録媒体としての次世代ＭＤ２のように、記録容量を増加させようとする光磁気ディスクにおいては、上記ディスクＩＤのような識別番号を記録する領域をアドレスが割り振られた領域に設けると、記録容量の増加等の妨げとなり、また読み出しの機構、処理が複雑となってしまうことを防止するため、ミラー領域に放射状のユニークＩＤを製造時に記録する。
【００９７】
図１１には、本発明における記録媒体の一具体例である次世代ＭＤ２（２００）を示す模式図である。高密度化を図るためにプリピットを用いない。したがって、次世代ＭＤ２には、プリピットによるＰＴＯＣ領域がない。また、次世代ＭＤ２には、レコーダブルエリアの内周のリードインエリアのさらに内周領域に、ＵＩＤを記録するＵＩＤエリアが設けられている。このＵＩＤエリアは、次世代ＭＤ２に適用されるＤＷＤＤ方式とは異なる記録方式で記録されている。
【００９８】
この次世代ＭＤ２のＵＩＤは、ユニークな識別情報である。このＵＩＤは、ディスク製造時に記録される情報であって、ディスク１枚１枚を特定するための固有の情報であり、光磁気ディスクの著作権保護のための情報、データ改竄チェックのための情報、あるいは他の非公開情報の基になる情報等として用いられる他、懸賞サービス等、その他種々のサービス提供のためにも利用することができる。
【００９９】
ＵＩＤ記録エリアは、元々ミラー領域である。つまり、グルーブが形成されているわけでも、ピットが形成されているわけでもない。そのミラー領域にＭＯ記録により例えば２００μｍ×１μｍの細長いマークを書き込んでいく。１周分に上記マークを書いたら特にトラッキングを掛けることなくＰＬＬをかけて１周分書き込み用の光学ヘッドを送る。そして、隙間ができないように重ねてさらに２００μｍにて同じところに上記細長いマークを書いていく。これによって、バーコードのように放射状にＵＩＤのマークが形成されるようになる。また、このＵＩＤは、前述したように幅の広いマークを使って記録されているので、ノントラッキングにて再生が可能である。
【０１００】
このように、ＵＩＤをミラー領域に記録する次世代ＭＤ２は、例えば、磁壁移動検出方式（ＤＷＤＤ：Domain Wall Displacement Detection）等の高密度化記録技術を適用した記録媒体であって、上述した第１世代ＭＤ及び次世代ＭＤ１とは、物理フォーマットが異なっている。次世代ＭＤ２は、トラックピッチが１．２５μｍ、ビット長が０．１６μｍ／ｂｉｔであり、線方向に高密度化されている。
【０１０１】
また、第１世代ＭＤ及び次世代ＭＤ１との互換を採るため、光学系、読出方式、サーボ処理等は、従来の規格に準じて、レーザ波長λは、λ＝７８０ｎｍ、光学ヘッドの開口率は、ＮＡ＝０．４５とする。記録方式は、グルーブ記録方式、アドレス方式は、ＡＤＩＰを利用した方式とする。また、筐体外形も第１世代ＭＤ及び次世代ＭＤ１と同一規格とする。
【０１０２】
但し、第１世代ＭＤ及び次世代ＭＤ１と同等の光学系を用いて、上述のように従来より狭いトラックピッチ及び線密度（ビット長）を読み取る際には、デトラックマージン、ランド及びグルーブからのクロストーク、ウォブルのクロストーク、フォーカス漏れ、ＣＴ信号等における制約条件を解消する必要がある。そのため、次世代ＭＤ２では、グルーブの溝深さ、傾斜、幅等を変更した点が特徴的である。具体的には、グルーブの溝深さを１６０ｎｍ〜１８０ｎｍ、傾斜を６０°〜７０°、幅を６００ｎｍ〜８００ｎｍの範囲と定める。
【０１０３】
また、次世代ＭＤ２は、記録データの変調方式として、高密度記録に適合したＲＬＬ（１−７）ＰＰ変調方式（ＲＬＬ；Run Length Limited、ＰＰ：Parity preserve/Prohibit rmtr(repeated minimum transition runlength)）を採用している。また、誤り訂正方式としては、より訂正能力の高いＢＩＳ（Burst Indicator Subcode）付きのＲＳ−ＬＤＣ（Reed Solomon−Long Distance Code）方式を用いている。データインタリーブは、ブロック完結型とする。これによりデータの冗長度は、２０．５０％になる。またデータの検出方式は、ＰＲ（１，−１）ＭＬによるビタビ復号方式を用いる。また、データの最小書換単位であるクラスタは、１６セクタ、６４ｋＢで構成されている。
【０１０４】
更に、ディスク駆動方式には、ＺＣＡＶ（Zone ＣＡＶ）方式を用い、その線速度を、２．０ｍ／ｓとする。ＺＣＡＶ方式によれば、同じゾーン内では、ＣＡＶ再生になるが、記録／再生装置にあっては、スピンドルモータを従来通りに制御してＣＬＶによりディスクを回転駆動するのと同じように見える。
【０１０５】
図１２には、ＺＣＡＶ方式によって駆動される次世代ＭＤ２のような光磁気ディスク２００のゾーンzone化フォーマットを示す。この光磁気ディスク２００にあっては、光磁気ディスクをゾーンＺ０からゾーンＺ２７までの２８ゾーンに分ける。ゾーン内における隣接トラック間ではウォブルの波数（位相）を一致させる。例えば、ゾーンＺ１とゾーンＺ２とを拡大して示す図１３において、ゾーンＺ１内では領域Ａ１で囲っているようにウォブルの波数（位相）を一致させている。ゾーンＺ２内でも領域Ａ１で囲っているようにウォブルの波数（位相）を一致させている。図１４には、領域Ａ１及び領域Ａ２内におけるウォブルを取り出して示す。波数は、一致している。これは、ＡＤＩＰのキャリアの波数を同じにすることである。これにより平均的にインフェーズ（inphase）とアウトフェーズ（Outphase）を合わせることができる。なお、隣接するゾーンＺ１とゾーンＺ２との間では、領域Ａ３で囲っているようにウォブルの波数（位相）は一致させなくてもよい。
【０１０６】
上記ＺＣＡＶ方式の採用により、記録再生時の標準データレートは、９．８ＭＢ／ｓとなる。次世代ＭＤ２では、ＤＷＤＤ方式及びＺＣＡＶ駆動方式を採用することにより、総記録容量を１ＧＢにできる。
【０１０７】
このように、次世代ＭＤ２では、予め書換え不能に記録されたＵＩＤを有するため、これを利用した課金管理システムサービスを提供することができ、記録容量が大きいため、プリペード金額を対価として購入可能なコンテンツとして、オーディオデータのみならず、１ＧＢ程度であれば、動画像等のその他のＡＶコンテンツ等とすることができる。
【０１０８】
（３）次世代ＭＤ２の記録再生装置
このような次世代ＭＤ２に対して情報信号を記録再生する記録再生装置について図１５を用いて説明する。この記録再生装置は、次世代ＭＤ２の記録のためのＲＬＬ（１−７）ＰＰ変調・ＲＳ−ＬＤＣエンコードを実行する構成を備える。また、次世代ＭＤ２の再生にＰＲ（１，−１）ＭＬ及びビタビ復号を用いたデータ検出に基づくＲＬＬ（１−７）復調・ＲＳ−ＬＤＣデコードを実行する構成を備える。
【０１０９】
この記録再生装置は、装填された次世代ＭＤ２（２００）をスピンドルモータ４０１によって前述したＺＣＡＶ方式にて回転駆動する。記録再生時には、この次世代ＭＤ２（２００）に対して、光学ヘッド４０２からレーザ光が照射される。
【０１１０】
光学ヘッド４０２は、記録時に記録トラックをキュリー温度まで加熱するための高レベルのレーザ出力を行い、また再生時には、磁気カー効果により反射光からデータを検出するための比較的低レベルのレーザ出力を行う。このため、光学ヘッド４０２は、レーザ出力手段としてのレーザダイオード、偏光ビームスプリッタや対物レンズ等からなる光学系及び反射光を検出するためのディテクタを搭載している。光学ヘッド４０２に備えられる対物レンズとしては、例えば２軸機構によってディスク半径方向及びディスクに接離する方向に変位可能に保持されている。
【０１１１】
次世代ＭＤ２を挟んで光学ヘッド４０２と対向する位置には、磁気ヘッド４０３が配置されている。磁気ヘッド４０３は、記録データによって変調された磁界を次世代ＭＤ２に印加する。また、図示しないが光学ヘッド４０２全体及び磁気ヘッド４０３をディスク半径方向に移動させるためのスレッドモータ及びスレッド機構が備えられている。
【０１１２】
この記録再生装置では、光学ヘッド４０２、磁気ヘッド４０３による記録再生ヘッド系、スピンドルモータ４０１によるディスク回転駆動系のほかに、記録処理系、再生処理系、サーボ系等が設けられる。記録処理系としては、次世代ＭＤ２に対する記録時にＲＬＬ（１−７）ＰＰ変調、ＲＳ−ＬＤＣエンコードを行う部位が設けられる。
【０１１３】
また、再生処理系としては、次世代ＭＤ２の再生時にＲＬＬ（１−７）ＰＰ変調に対応する復調（ＰＲ（１，−１）ＭＬ及びビタビ復号を用いたデータ検出に基づくＲＬＬ（１−７）復調）、ＲＳ−ＬＤＣデコードを行う部位とが設けられる。
【０１１４】
光学ヘッド４０２の次世代ＭＤ２に対するレーザ照射によりその反射光として検出された情報（フォトディテクタによりレーザ反射光を検出して得られる光電流）は、ＲＦアンプ４０４に供給される。ＲＦアンプ４０４では、入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（次世代ＭＤ２にトラックのウォブリングにより記録されているＡＤＩＰ情報）等を抽出する。
【０１１５】
次世代ＭＤ２の再生時には、ＲＦアンプで得られた再生ＲＦ信号は、Ａ／Ｄ変換回路４０５、イコライザ４０６、ＰＬＬ回路４０７、ＰＲＭＬ回路４０８を介して、ＲＬＬ（１−７）ＰＰ復調部４０９及びＲＳ−ＬＤＣデコーダ４１０で信号処理される。再生ＲＦ信号は、ＲＬＬ（１−７）ＰＰ復調部４０９において、ＰＲ（１，−１）ＭＬ及びビタビ復号を用いたデータ検出によりＲＬＬ（１−７）符号列としての再生データを得て、このＲＬＬ（１−７）符号列に対してＲＬＬ（１−７）復調処理が行われる。さらに、ＲＳ−ＬＤＣデコーダ４１０にて誤り訂正及びデインタリーブ処理される。そして、復調されたデータが次世代ＭＤ２からの再生データとしてデータバッファ４１５に出力される。
【０１１６】
ＲＦアンプ４０４から出力されるトラッキングエラー信号ＴＥ、フォーカスエラー信号ＦＥは、サーボ回路４１１に供給され、グルーブ情報は、ＡＤＩＰデコータ４１３に供給され、ＵＩＤを読出したＭＯ信号は、ＵＩＤデコーダ４２０に供給される。
【０１１７】
ＡＤＩＰデコータ４１３は、グルーブ情報に対してバンドパスフィルタにより帯域制限してウォブル成分を抽出した後、ＦＭ復調、バイフェーズ復調を行ってＡＤＩＰアドレスを抽出する。抽出された、ディスク上の絶対アドレス情報であるＡＤＩＰアドレスは、次世代ＭＤ２アドレスとされてシステムコントローラ４１４に供給される。
【０１１８】
ＵＩＤデコーダ４２０は、後述するように、読み出したＭＯ信号からＵＩＤが検出され、システムコントローラ４１４に供給される。
【０１１９】
システムコントローラ４１４では、ＡＤＩＰアドレスに基づいて、所定の制御処理を実行する。またグルーブ情報は、スピンドルサーボ制御のためにサーボ回路４１１に戻される。また、ＵＩＤデコーダから受け取ったＵＩＤ及びシステムコントローラ４１４内に設けられた図示せぬ記憶部に格納された装置ＵＩＤを図示せぬ暗号化部にて暗号化し、データバッファを介してＰＣ等の通信制御装置に出力する。
【０１２０】
サーボ回路４１１は、例えばグルーブ情報に対して再生クロック（デコード時のＰＬＬ系クロック）との位相誤差を積分して得られる誤差信号に基づき、ＺＣＡＶサーボ制御のためのスピンドルエラー信号を生成する。
【０１２１】
またサーボ回路４１１は、スピンドルエラー信号や、上記のようにＲＦアンプ４０４から供給されたトラッキングエラー信号、フォーカスエラー信号、或いはシステムコントローラ４１４からのトラックジャンプ指令、アクセス指令等に基づいて各種サーボ制御信号（トラッキング制御信号、フォーカス制御信号、スレッド制御信号、スピンドル制御信号等）を生成し、モータドライバ４１２に対して出力する。すなわち、上記サーボエラー信号や指令に対して位相補償処理、ゲイン処理、目標値設定処理等の必要処理を行って各種サーボ制御信号を生成する。
【０１２２】
モータドライバ４１２では、サーボ回路４１１から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ４０１を駆動するスピンドルモータ駆動信号となる。このようなサーボドライブ信号により、次世代ＭＤ２に対するフォーカス制御、トラッキング制御、及びスピンドルモータ４０１に対するＺＣＡＶ制御が行われる。
【０１２３】
次世代ＭＤ２に対して記録動作が実行される際には、図示しないメモリ転送コントローラから高密度データ、或いはオーディオ処理部からの通常のＡＴＲＡＣ圧縮データが供給される。
【０１２４】
次世代ＭＤ２に対する記録時には、ＲＳ−ＬＣＤエンコーダ４１６及びＲＬＬ（１−７）ＰＰ変調部４１７が機能する。この場合、高密度データは、ＲＳ−ＬＣＤエンコーダ４１６でインタリーブ及びＲＳ−ＬＤＣ方式のエラー訂正コード付加が行われた後、ＲＬＬ（１−７）ＰＰ変調部４１７にてＲＬＬ（１−７）変調される。
【０１２５】
ＲＬＬ（１−７）符号列に変調された記録データは、磁気ヘッドドライバ４１８に供給され、磁気ヘッド４０３が次世代ＭＤ２に対して変調データに基づいた磁界印加を行うことでデータが記録される。
【０１２６】
レーザドライバ／ＡＰＣ４１９は、上記のような再生時及び記録時においてレーザダイオードにレーザ発光動作を実行させるが、いわゆるＡＰＣ（Automatic Lazer Power Control）動作も行う。具体的には、図示しないが、光学ヘッド４０２内には、レーザパワーモニタ用のディテクタが設けられており、このモニタ信号がレーザドライバ／ＡＰＣ４１９にフィードバックされるようになっている。レーザドライバ／ＡＰＣ４１９は、モニタ信号として得られた現在のレーザパワーを予め設定されているレーザパワーと比較して、その誤差分をレーザ駆動信号に反映させることによって、レーザダイオードから出力されるレーザパワーが設定値で安定化されるように制御している。ここで、レーザパワーは、システムコントローラ４１４によって、再生レーザパワー及び記録レーザパワーとしての値がレーザドライバ／ＡＰＣ４１９内部のレジスタにセットされる。
【０１２７】
システムコントローラ４１４は、以上の各動作（レーザ駆動、アクセス、各種サーボ、データ書込、データ読出の各動作）が実行されるように各構成を制御する。
【０１２８】
次に、ＡＤＩＰデコーダ４１３について更に詳細に説明する。上述においては、次世代ＭＤ２の記録再生装置は、ＵＩＤデコーダ４３０を有するものとしたが、ＵＩＤの書き込みのパターンは、ＡＤＩＰと同じようなフォーマット、即ちＦＭ変調、バイフェーズ変調、３ビット訂正ＢＣＨ符号（Bose-Chaudhuri-Hocquenghem code）を用いることにより、記録再生装置では、ＡＤＩＰアドレス用のデコーダ４１３を用いてＵＩＤをデコードでき、ＵＩＤの再生専用回路を不要とすることもできる。
【０１２９】
図１６には、ＡＤＩＰデコーダ４１３を示すブロック図である。上記ＡＤＦＧ（ＡＤＩＰＦＭ）が入力端子５０１を介してＲＦアンプ４０４から供給されると、ＦＭ復調部５０２内のＦＶコンバータ５０３は周波数を電圧信号に変換する。この電圧信号は、フィルタ５０４にてフィルタリングされたのち、コンパレータ５０５により２値化されてＦＭＤＴがフェーズコンパレータ５０６、シンク検出回路５０９及びバイフェーズデコーダ５１０に供給される。
【０１３０】
そして、フェーズコンパレータ５０６からのＦＭＤＴのコンパレート出力は、ループフィルタ５０７、ＶＣＯ５０８によって構成されるＰＬＬにより同期クロックＦＭＣＫとされる。この同期クロックＦＭＣＫは、上記フェーズコンパレータ５０６、シンク検出部５０９及びバイフェーズデコーダ５１０に供給される。
【０１３１】
シンク検出回路５０９は、上記同期クロックＦＭＣＫに従ってＦＭＤＴからシンクsyncを検出し、タイミング制御回路５１１に供給する。このタイミング制御回路５１１は、セクタパルスXADSYを生成してシステムコントローラ４１４に供給する。また、タイミング制御回路５１１は、ウィンドウ情報Windowをシンク検出回路５０９に供給する。
【０１３２】
バイフェーズデコード回路５１０は、上記ＦＭＤＴを上記同期クロックＦＭＣＫに基づいてバイフェーズデコードし、ＮＲＺデータをＢＣＨデコーダ５１２及びＣＲＣデコーダ５１３に供給する。この実施例の場合には、ＢＣＨデコーダ５１２とＣＲＣデコーダ５１３とを並列に接続し、それぞれのデコーダからの出力を切換スイッチ５１４及び５１５を用いて切り換えることによりＵＩＤのアドレスエラーＡＤＥＲ、クラスタ位置番号、セクタ番号（回転情報として用いられる）を取り出している。また、ＵＩＤのデータもこれら切り換えスイッチ５１４及び５１５の切り換えを介してＢＣＨデコーダ５１２、ＣＲＣデコーダ５１３から取り出される。
【０１３３】
（４）ＵＩＤ
次に、図１７は、次世代ＭＤ２のデータフォーマットを示す図である。最内周側はミラー領域（ＢＣＡ：Burst Cutting Area）とされ、その外周側にウォブルＡＤＩＰグルーブエリアが設けられる。そして、ミラー領域に、バーコード状のパターンが放射状に形成されることで、上記ＵＩＤが記録される。
【０１３４】
また、ウォブルＡＤＩＰグルーブエリアには、内周側からリードインエリア（Lead-in area）、データ記録領域となるデータレコーダブルエリア（Data Recodable area）、リードアウトエリア（Lead-out area）が設けられている。
【０１３５】
リードインエリアには、Ｐ−ＴＯＰと呼ばれるプリフォーマットされた管理情報が記録される。また、データレコーダブルエリアには、パワーキャリブレーションエリア（Power calibration area：ＰＣＡ）と、コントロールエリア（Control area）と、レコーダブルデータエリア（Recodable data area）と、リードアウトのパワーキャリブレーションエリアＰＣＡとが設けられる。
【０１３６】
なお、上述のＵＭＤ１．５は、同様に最内周にＵＩＤが記録されたＢＣＡを有する点は同様であるが、リードインエリアには、Ｐ−ＴＯＰの変わりにＰ−ＴＯＣが記録される。Ｐ−ＴＯＣはエンボスピットによるピットエリアであり、基本的なエリア位置などが管理される。
【０１３７】
次に、ＵＩＤのフォーマットについて説明する。図１８は、ＵＩＤのフォーマットを示す図である。図１８に示すように、ＵＩＤは、１列目がシンクエリアとなっており、２列目がデータエリアとなっている。そして、シンクエリアには、各行１byteの同期信号が記録され、データエリアには、各行４byteのデータが記録され。データエリアにおいては、１行目は、プリアンブル（pre-amble）、次の４×ｎ行（１≦ｎ≦１２）はインフォメーション領域、その次の４行がＥＣＣ領域、最後の１行がポルトアンブルとなっている。なお、シンクエリアは、データエリアの最終行の更に次の行にも同期信号を有する。
【０１３８】
図１９（ａ）乃至（ｃ）は、夫々ＵＩＤレコードブロックを示す図、ＵＩＤコードのフォーマットを示す図、及びＵＩＤレコードブロックの配列順を模式的に示す図である。
【０１３９】
図１９（ａ）において、ＲＢＰの相対位置（Relative byte position）ＲＢＰは、図１８に示すＩ０〜Ｉ１６ｎ−５に対応する。即ち、ＲＢＰ０（Ｉ０）〜ＲＢＰ１（Ｉ１）には、夫々１バイトでＵＩＤコードが記録され、ＲＢＰ２（Ｉ２）には、１バイトでバージョンナンバが記録され、ＲＢＰ３（Ｉ３）には、１バイトでデータ長が記録され、ＲＢＰ（Ｉ４）〜ＲＢＰ４ｍ＋３（Ｉ４ｍ＋３）には、レコードデータが記録される。
【０１４０】
ＵＩＤコードは、図１９（ｂ）に示すように、ディスク種別により設定される４ビットのディスクタイプＩＤ（Disc Type ID）とアプリケーション固有のＵＩＤ（Application UID）とからなる。また、これらのレコードブロックＲＢは、図１９（ｃ）に示すように、例えばアプリケーションＵＩＤの小さい順等、アプリケーションＵＩＤ毎に並べられている。
【０１４１】
図２０は、図１５に示すＵＩＤデコーダ（ＵＩＤ検出回路）４２０の一例を示すブロック図である。図２０に示すように、ＵＩＤデコーダ４２０は、ＲＦアンプ４０４からのＭＯ信号が入力されるハイパスフィルタ（1st order High pass filter）３０１及びこの出力が供給されるローパスフィルタ（1st order Low pass filter）３０２と、ローパスフィルタ３０２の出力信号のピーク位置及びボトム位置を検出する夫々時定数τ＝１ｍｓのピークホールド回路３０３及び時定数τ＝１ｍｓのボトムホールド回路３０４と、ピークホールド回路３０３及びボトムホールド回路３０４の出力に抵抗Ｒを加算する夫々抵抗３０５ａ及び３０５ｂと、ピークホールド回路３０３及びボトムホールド回路３０４の出力が抵抗加算された値と、ローパスフィルタ３０２からの出力信号とを比較するコンパレータ３０６とを有する。
【０１４２】
即ち、ＵＩＤを読み出したＭＯ信号は、ピークホールド回路３０３にて検出されたピーク位置と、ボトムホールド回路３０４にて検出されたボトム位置との差の１／２、即ちＭＯ信号の振幅差の１／２を閾値とするコンパレータ３０６にて、ローパスフィルタ１０２の出力と比較されることにより２値化される。
【０１４３】
また、このＵＩＤデコーダ４２０におけるハイパスフィルタ３０１及びローパスフィルタ３０２の、いわゆるカットオフ周波数（ターンオーバ周波数）ｆｃ（−３ｄＢ）は、夫々１ＫＨｚ及び５ＭＨｚとすることができる。
【０１４４】
次に、このようなＵＩＤの読出し方法について説明する。図２１は、上記ＵＩＤを読み出すときの上記記録再生装置のシステムコントローラ４１４にて行われる処理手順を示すフローチャートである。
【０１４５】
先ず、ステップＳ３１にて光学ピックアップ４０２をディスクの内周へ移動する。上記ＰＤＰＴまではＡＤＩＰアドレスが形成されているので、そこまではアドレスでアクセスできる。その後、光学ヘッド４０２をさらに内周に振ることで光学ヘッド４０２がＵＩＤ記録領域に達する。ここでは、検出スイッチを設けてメカ的に光学ヘッド４０２の上記ＵＩＤ記録領域への到達を検出するようにしてもよい。
【０１４６】
次に、ステップＳ３２にてＲＦアンプ４０４からＵＩＤデコーダ４２０に読み込まれるＡＤＦＧ信号をプッシュプルからＲＦ信号に切り替える。ＡＤＦＧ信号は、ＡＤＩＰのウォブル信号のコンパレータ出力である。ウォブルは、プッシュプル信号から検出されるが、ＵＩＤはそれがＭＯで書かれているので、ＵＩＤを読み込むときには上記ＡＤＦＧ信号をＲＦ信号として検出してやればよい。
【０１４７】
次に、ステップＳ３３にてＵＩＤデコーダ４２０によりＢＣＨ情報及びcodeを読み出し、メモリに貯め込む。そして、ステップＳ３４にてすべてのＢＣＨがＯＫで、ＥＤＣもＯＫであれば、そのまま読み終わって終了となる。このステップＳ３４にて、もしエラーがあり、ＮＯと判定されると、ステップＳ３５に進んでステップＳ３３にてメモリに貯め込まれたＢＣＨ情報のフラグを使ってイレージャ訂正を行う。
【０１４８】
次に、ステップＳ３６にてＥＤＣが正常でありＯＫであればＵＩＤを読み終わり、もしＥＤＣが正常でなければステップＳ３７に進んでピックアップを少しだけ移動させてリトライする。
【０１４９】
（５）記録再生装置の他の例
次に、従来ＭＤ（第１世代）及び次世代ＭＤのいずれにも対応可能な記録再生装置について説明する。ここで、次世代ＭＤ１、次世代ＭＤ２は、ＵＭＤ又はＨｉＭＤ１、３とも呼ばれるものである。また、次世代ＭＤ１、２と同様、ＭＤ方式に準拠して高密度化を進めた次世代ＭＤとして、ＵＭＤ１．５（以下、次世代ＭＤ１.５という。）と呼ばれるものもある。次世代ＭＤ１．５は、Ｕ−ＴＯＣ及びＰ−ＴＯＣを有し、Ｕ−ＴＯＣに「ＵＭＤ」等と記述され、また次世代ＭＤ２と同様ミラー領域ＢＣＡに「１．５」の記述がなされる。ここで、上述したように、本実施の形態における課金管理システムシステムにおいて説明したＵＩＤを有するメディアとして、この次世代ＭＤ１．５も好適に利用することができる。そして、以下に説明する記録再生装置においては、これら第１世代ＭＤ及び次世代ＭＤ全てに対応可能な記録生成装置となっている。
【０１５０】
図２２には、従来ＭＤ（第１世代ＭＤ）、次世代ＭＤ１及び次世代ＭＤ２を記録再生するための記録再生装置１１の構成を示す。この記録再生装置１１は、次世代ＭＤ１、１．５、２の種類を判別する。また、第１世代ＭＤと、次世代ＭＤ２を判別する場合もある。
【０１５１】
記録再生装置１１は、第１世代ＭＤ、次世代ＭＤ１及び次世代ＭＤ２を記録再生するために、特に、記録処理系として、第１世代ＭＤの記録のためのＥＦＭ変調・ＡＣＩＲＣエンコードを実行する構成と、次世代ＭＤ１及び次世代ＭＤ２の記録のためのＲＬＬ（１−７）ＰＰ変調・ＲＳ−ＬＤＣエンコードを実行する構成とを備える点が特徴的である。また、再生処理系として、第１世代ＭＤの再生のためのＥＦＭ復調・ＡＣＩＲＣデコードを実行する構成と、次世代ＭＤ１及び次世代ＭＤ２の再生にＰＲ（１，２，１）ＭＬ、ＰＲ（１，−１）ＭＬ及びビタビ復号を用いたデータ検出に基づくＲＬＬ（１−７）復調・ＲＳ−ＬＤＣデコードを実行する構成を備えている点が特徴的である。
【０１５２】
記録再生装置１１は、装填されたディスク９０をスピンドルモータ２１によってＣＬＶ方式又はＺＣＡＶ方式にて回転駆動する。記録再生時には、このディスク９０に対して、光学ヘッド２２からレーザ光が照射される。
【０１５３】
光学ヘッド２２は、記録時に記録トラックをキュリー温度まで加熱するための高レベルのレーザ出力を行い、また再生時には、磁気カー効果により反射光からデータを検出するための比較的低レベルのレーザ出力を行う。このため、光学ヘッド２２は、レーザ出力手段としてのレーザダイオード、偏光ビームスプリッタや対物レンズ等からなる光学系及び反射光を検出するためのディテクタが搭載されている。光学ヘッド２２に備えられる対物レンズとしては、例えば２軸機構によってディスク半径方向及びディスクに接離する方向に変位可能に保持されている。この光学ヘッド２２には、内蔵のディスク判別装置に受光信号Ａ、受光信号Ｂを供給するフォトディテクタＰＤが備えられている。また、対物レンズ、或いは光学ヘッド２２全体は、ディスク判別時には、進行方向を決める必要があるのである一定の速度で、内周から外周へ移動させられる。偏芯による移動量に打ち勝つ速度で上記受光信号Ａ、Ｂを検出することができる。
【０１５４】
また、本具体例では、媒体表面の物理的仕様が異なる第１世代ＭＤ及び次世代ＭＤ１と、次世代ＭＤ２とに対して最大限の再生特性を得るために、光学ヘッド２２の読取光光路中に位相補償板を設ける。この位相補償板により、読取り時におけるビットエラーレートを最適化できる。
【０１５５】
ディスク９０を挟んで光学ヘッド２２と対向する位置には、磁気ヘッド２３が配置されている。磁気ヘッド２３は、記録データによって変調された磁界をディスク９０に印加する。また、図示しないが光学ヘッド２２全体及び磁気ヘッド２３をディスク半径方向に移動させるためのスレッドモータ及びスレッド機構が備えられている。このスレッドモータ及びスレッド機構は、内蔵のディスク判別装置がディスクを判別する時に、上記光学ヘッド２２を内周から外周に移動する。
【０１５６】
この記録再生装置１１では、光学ヘッド２２、磁気ヘッド２３による記録再生ヘッド系、スピンドルモータ２１によるディスク回転駆動系のほかに、記録処理系、再生処理系、サーボ系等が設けられる。記録処理系としては、第１世代ＭＤに対する記録時にＥＦＭ変調、ＡＣＩＲＣエンコードを行う部位と、次世代ＭＤ１及び次世代ＭＤ２に対する記録時にＲＬＬ（１−７）ＰＰ変調、ＲＳ−ＬＤＣエンコードを行う部位とが設けられる。
【０１５７】
また、再生処理系としては、第１世代ＭＤの再生時にＥＦＭ変調に対応する復調及びＡＣＩＲＣデコードを行う部位と、次世代ＭＤ１及び次世代ＭＤ２の再生時にＲＬＬ（１−７）ＰＰ変調に対応する復調（ＰＲ（１，２，１）ＭＬ及びビタビ復号を用いたデータ検出に基づくＲＬＬ（１−７）復調）、ＲＳ−ＬＤＣデコードを行う部位とが設けられる。
【０１５８】
光学ヘッド２２のディスク９０に対するレーザ照射によりその反射光として検出された情報（フォトディテクタによりレーザ反射光を検出して得られる光電流）は、ＲＦアンプ２４に供給される。ＲＦアンプ２４では、入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク９０にトラックのウォブリングにより記録されているＡＤＩＰ情報）等を抽出する。
【０１５９】
このＲＦアンプ２４には、ディスク判別装置を構成するトラッキングエラー信号演算器と、プルイン信号演算器と、コンパレータと、コンパレータとが内蔵されている。
【０１６０】
第１世代ＭＤの再生時には、ＲＦアンプで得られた再生ＲＦ信号は、コンパレータ２５、ＰＬＬ回路２６を介して、ＥＦＭ復調部２７及びＡＣＩＲＣデコーダ２８で処理される。再生ＲＦ信号は、ＥＦＭ復調部２７で２値化されてＥＦＭ信号列とされた後、ＥＦＭ復調され、さらにＡＣＩＲＣデコーダ２８で誤り訂正及びデインタリーブ処理される。オーディオデータであれば、この時点でＡＴＲＡＣ圧縮データの状態となる。このとき、セレクタ２９は、第１世代ＭＤ信号側が選択されており、復調されたＡＴＲＡＣ圧縮データがディスク９０からの再生データとしてデータバッファ３０に出力される。この場合、図示しないオーディオ処理部に圧縮データが供給される。
【０１６１】
一方、次世代ＭＤ１又は次世代ＭＤ２の再生時には、ＲＦアンプで得られた再生ＲＦ信号は、Ａ／Ｄ変換回路３１、イコライザ３２、ＰＬＬ回路３３、ＰＲＭＬ回路３４を介して、ＲＬＬ（１−７）ＰＰ復調部３５及びＲＳ−ＬＤＣデコーダ３６で信号処理される。再生ＲＦ信号は、ＲＬＬ（１−７）ＰＰ復調部３５において、ＰＲ（１，２，１）ＭＬ及びビタビ復号を用いたデータ検出によりＲＬＬ（１−７）符号列としての再生データを得て、このＲＬＬ（１−７）符号列に対してＲＬＬ（１−７）復調処理が行われる。さらに、ＲＳ−ＬＤＣデコーダ３６にて誤り訂正及びデインタリーブ処理される。
【０１６２】
この場合、セレクタ２９は、次世代ＭＤ１・次世代ＭＤ２側が選択され、復調されたデータがディスク９０からの再生データとしてデータバッファ３０に出力される。このとき、図示しないメモリ転送コントローラに対して復調データが供給される。
【０１６３】
ＲＦアンプ２４から出力されるトラッキングエラー信号ＴＥ、フォーカスエラー信号ＦＥは、サーボ回路３７に供給され、グルーブ情報は、ＡＤＩＰデコータ３８に、次世代ＭＤ１．５及び次世代ＭＤ２であればＵＩＤを読み出したＭＯ信号がＵＩＤデコーダ５０に供給される。
【０１６４】
ＡＤＩＰデコータ（復調部）３８は、グルーブ情報に対してバンドパスフィルタにより帯域制限してウォブル成分を抽出した後、ＦＭ復調、バイフェーズ復調を行ってＡＤＩＰアドレスを抽出する。抽出された、ディスク上の絶対アドレス情報であるＡＤＩＰアドレスは、第１世代ＭＤ及び次世代ＭＤ１の場合であれば、ＭＤアドレスデコーダ３９を介し、次世代ＭＤ２の場合であれば、次世代ＭＤ２アドレスデコーダ４０を介してシステムコントローラ４１に供給される。
【０１６５】
ＵＩＤデコーダ５０は、上述したように、ＭＯ信号をデコードしたＵＩＤの情報をシステムコントローラ４１に供給する。
【０１６６】
システムコントローラ４１では、各ＡＤＩＰアドレスに基づいて、所定の制御処理を実行する。またグルーブ情報は、スピンドルサーボ制御のためにサーボ回路３７に戻される。
【０１６７】
また、システムコントローラ４１には、ディスク判別装置を構成するＤフリップフロップ判別回路の機能が備えられている。そして、システムコントローラ４１は、このＤフリップフロップ判別回路の判別結果に基づいて上記ＭＤの種類を判別する。
【０１６８】
サーボ回路３７は、例えばグルーブ情報に対して再生クロック（デコード時のＰＬＬ系クロック）との位相誤差を積分して得られる誤差信号に基づき、ＣＬＶサーボ制御及び前述したＺＣＡＶサーボ制御のためのスピンドルエラー信号を生成する。
【０１６９】
またサーボ回路３７は、スピンドルエラー信号や、上記のようにＲＦアンプ２４から供給されたトラッキングエラー信号、フォーカスエラー信号、或いはシステムコントローラ４１からのトラックジャンプ指令、アクセス指令等に基づいて各種サーボ制御信号（トラッキング制御信号、フォーカス制御信号、スレッド制御信号、スピンドル制御信号等）を生成し、モータドライバ４２に対して出力する。すなわち、上記サーボエラー信号や指令に対して位相補償処理、ゲイン処理、目標値設定処理等の必要処理を行って各種サーボ制御信号を生成する。
【０１７０】
モータドライバ４２では、サーボ回路３７から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ２１を駆動するスピンドルモータ駆動信号となる。このようなサーボドライブ信号により、ディスク９０に対するフォーカス制御、トラッキング制御、及びスピンドルモータ２１に対するＣＬＶ制御又はＺＣＡＶ制御が行われる。
【０１７１】
ディスク判別装置は、光磁気ディスクを判別する際に、サーボ回路３７、モータドライバ４２をシステムコントローラ４１で制御し、光学ヘッド２２の対物レンズによるレーザ光のフォーカスをオンさせる。また、トラッキングサーボはかけていない状態にする。また、スレッドサーボについては、光学ヘッド２２を内周から外周にある速度にて移動させる。
【０１７２】
ディスク９０に対して記録動作が実行される際には、図示しないメモリ転送コントローラから高密度データ、或いはオーディオ処理部１９（図１９参照）からの通常のＡＴＲＡＣ圧縮データが供給される。
【０１７３】
第１世代ＭＤに対する記録時には、セレクタ４３が第１世代ＭＤ側に接続され、ＡＣＩＲＣエンコーダ４４及びＥＦＭ変調部４５が機能する。この場合、オーディオ信号であれば、後述するオーディオ処理部１９からの圧縮データは、ＡＣＩＲＣエンコーダ４４でインタリーブ及びエラー訂正コード付加が行われた後、ＥＦＭ変調部４５においてＥＦＭ変調される。ＥＦＭ変調データがセレクタ４３を介して磁気ヘッドドライバ４６に供給され、磁気ヘッド２３がディスク９０に対してＥＦＭ変調データに基づいた磁界印加を行うことで変調されたデータが記録される。
【０１７４】
次世代ＭＤ１及び次世代ＭＤ２に対する記録時には、セレクタ４３が次世代ＭＤ１・次世代ＭＤ２側に接続され、ＲＳ−ＬＣＤエンコーダ４７及びＲＬＬ（１−７）ＰＰ変調部４８が機能する。この場合、後述するメモリ転送コントローラ１２（図１９参照）から送られた高密度データは、ＲＳ−ＬＣＤエンコーダ４７でインタリーブ及びＲＳ−ＬＤＣ方式のエラー訂正コード付加が行われた後、ＲＬＬ（１−７）ＰＰ変調部４８にてＲＬＬ（１−７）変調される。
【０１７５】
ＲＬＬ（１−７）符号列に変調された記録データは、セレクタ４３を介して磁気ヘッドドライバ４６に供給され、磁気ヘッド２３がディスク９０に対して変調データに基づいた磁界印加を行うことでデータが記録される。
【０１７６】
レーザドライバ／ＡＰＣ４９は、上記のような再生時及び記録時においてレーザダイオードにレーザ発光動作を実行させるが、いわゆるＡＰＣ（Automatic Lazer Power Control）動作も行う。具体的には、図示しないが、光学ヘッド２２内には、レーザパワーモニタ用のディテクタが設けられており、このモニタ信号がレーザドライバ／ＡＰＣ４９にフィードバックされるようになっている。レーザドライバ／ＡＰＣ４９は、モニタ信号として得られた現在のレーザパワーを予め設定されているレーザパワーと比較して、その誤差分をレーザ駆動信号に反映させることによって、レーザダイオードから出力されるレーザパワーが設定値で安定化されるように制御している。ここで、レーザパワーは、システムコントローラ４１によって、再生レーザパワー及び記録レーザパワーとしての値がレーザドライバ／ＡＰＣ４９内部のレジスタにセットされる。
【０１７７】
システムコントローラ４１は、後述するドライブコントローラ１８（図１９参照）からの指示に基づいて、以上の各動作（アクセス、各種サーボ、データ書込、データ読出の各動作）が実行されるように各構成を制御する。なお、図２２において一点鎖線で囲った各部は、１チップの回路として構成することもできる。
【０１７８】
また、各ディスク種別の判別方法としては、ディスク反射率、グルーブ深さによる位相差、Ｕ−ＴＯＣ内容、Ｐ−ＴＯＣ内容、ＡＤＩＰアドレス構造、ＢＣＡの各判別要素等、様々あるが、例えば以下に示す方法等がある。
【０１７９】
第１世代ＭＤ及び次世代ＭＤ１は、いずれもリードインエリアとして内周側からＰ−ＴＯＣ、Ｕ−ＴＯＰを有しており、Ｐ−ＴＯＣでは基本的なエリア位置などが管理され、データエリアに記録されるトラックはＵ−ＴＯＣによって管理される。ここで、第１世代ＭＤには、Ｕ−ＴＯＣエリアに「ＭＩＮＩ」等のアスキーコードが記録され、次世代ＭＤ１には、Ｕ−ＴＯＣエリアにＵＭＤ等の記録がなされるため、これによりディスクの判別を行うことができる。
【０１８０】
また、上述の次世代ＭＤ１．５は、Ｐ−ＴＯＣ及びＵ−ＴＯＣからなるリードインエリアの内周に、次世代ＭＤ２と同様ミラー領域ＢＣＡを有している。これらミラー領域ＢＣＡには、次世代ＭＤ１．５であるか次世代ＭＤ２であるかの情報が記録されており、これによりディスク種別を判別することができる。
【０１８１】
また、次世代ＭＤ２は、次世代ＭＤ１．５と異なり、リードインエリアには、Ｐ−ＴＯＣ及びＵ−ＴＯＣではなく、Ｐ−ＴＯＰと呼ばれる管理情報が記録される。従って、例えばＵ−ＴＯＣが存在するか否かで次世代ＭＤ１．５と次世代ＭＤ２とのディスク種別を判別することができる。
【０１８２】
（６）記録再生装置を搭載したディスクドライブ装置
次に、上述の通信制御装置１０４としてのＰＣに接続される記録再生装置１０３の一具体例としてのディスクドライブ装置について説明する。
【０１８３】
図２３は、前記光ディスク記録再生装置１１をメディアドライブ部１１として備えるディスクドライブ装置１０の構成を示す。ディスクドライブ装置１０は、上述した通信制御装置としてのパーソナルコンピュータ（以下、ＰＣと記す。）１００と接続でき、次世代ＭＤ１及び次世代ＭＤ２にオーディオデータを記録するだけでなく、ＰＣ等の外部ストレージとして使用できる。
【０１８４】
ディスクドライブ装置１０は、図２３に示すように、光ディスク判別装置を内蔵しているメディアドライブ部１１と、メモリ転送コントローラ１２と、クラスタバッファメモリ１３と、補助メモリ１４と、ＵＳＢインターフェース１５、１６と、ＵＳＢハブ１７と、ドライブコントローラ１８と、オーディオ処理部１９とを備える。
【０１８５】
メディアドライブ部１１は、装填された従来ミニディスク、次世代ＭＤ１、及び次世代ＭＤ２等の個々のディスク９０に対する記録／再生を行う。メディアドライブ部（光ディスク記録再生装置）１１の内部構成は、図２２を用いて説明している。
【０１８６】
メモリ転送コントローラ１２は、メディアドライブ部１１からの再生データやメディアドライブ部１１に供給する記録データの送受制御を行う。クラスタバッファメモリ１３は、メディアドライブ部１１によってディスク９０のデータトラックから高密度データクラスタ単位で読み出されたデータをメモリ転送コントローラ１２の制御に基づいてバッファリングする。補助メモリ１４は、メディアドライブ部１１によってディスク９０から読み出されたＵＴＯＣデータ、ＣＡＴデータ、ユニークＩＤ、ハッシュ値等の各種管理情報や特殊情報をメモリ転送コントローラ１２の制御に基づいて記憶する。
【０１８７】
ドライブコントローラ１８は、ＵＳＢインターフェース１６、ＵＳＢハブ１７を介して接続されたＰＣ１００との間で通信可能とされ、このＰＣ１００との間の通信制御を行って、書込要求、読出要求等のコマンドの受信やステイタス情報、その他の必要情報の送信等を行うとともに、ディスクドライブ装置１０全体を統括制御している。
【０１８８】
ドライブコントローラ１８は、例えば、ディスク９０がメディアドライブ部１１に装填された際に、ディスク９０からの管理情報等の読出をメディアドライブ部１１に指示し、メモリ転送コントローラ１２によって読み出されたＰＴＯＣ、ＵＴＯＣ等の管理情報等を補助メモリ１４に格納させる。
【０１８９】
ドライブコントローラ１８は、これらの管理情報を読み込むことによって、ディスク９０のトラック記録状態を把握できる。また、ＣＡＴを読み込ませることにより、データトラック内の高密度データクラスタ構造を把握でき、ＰＣ１００からのデータトラックに対するアクセス要求に対応できる状態となる。
【０１９０】
また、ユニークＩＤやハッシュ値により、ディスク認証処理及びその他の処理を実行したり、これらの値をＰＣ１００に送信し、ＰＣ１００上でディスク認証処理及びその他の処理を実行させる。
【０１９１】
ドライブコントローラ１８は、ＰＣ１００から、あるＦＡＴセクタの読出要求があった場合、メディアドライブ部１１に対して、このＦＡＴセクタを含む高密度データクラスタの読出を実行する旨の信号を与える。読み出された高密度データクラスタは、メモリ転送コントローラ１２によってクラスタバッファメモリ１３に書き込まれる。但し、既にＦＡＴセクタのデータがクラスタバッファメモリ１３に格納されていた場合、メディアドライブ部１１による読出は必要ない。
【０１９２】
このとき、ドライブコントローラ１８は、クラスタバッファメモリ１３に書き込まれている高密度データクラスタのデータから、要求されたＦＡＴセクタのデータを読み出す信号を与え、ＵＳＢインターフェース１５、ＵＳＢハブ１７を介して、ＰＣ１００に送信するための制御を行う。また、上述したように、要求に応じて装置ＵＩＤ及びディスクＵＩＤをＰＣ１００に送信するための制御を行う。
【０１９３】
また、ドライブコントローラ１８は、ＰＣ１００から、あるＦＡＴセクタの書込要求があった場合、メディアドライブ部１１に対して、このＦＡＴセクタを含む高密度データクラスタの読出を実行させる。読み出された高密度データクラスタは、メモリ転送コントローラ１２によってクラスタバッファメモリ１３に書き込まれる。但し、既にこのＦＡＴセクタのデータがクラスタバッファメモリ１３に格納されていた場合は、メディアドライブ部１１による読出は必要ない。
【０１９４】
また、ドライブコントローラ１８は、ＰＣ１００から送信されたＦＡＴセクタのデータ（記録データ）をＵＳＢインターフェース１５を介してメモリ転送コントローラ１２に供給し、クラスタバッファメモリ１３上で該当するＦＡＴセクタのデータの書換を実行させる。
【０１９５】
また、ドライブコントローラ１８は、メモリ転送コントローラ１２に指示して、必要なＦＡＴセクタが書き換えられた状態でクラスタバッファメモリ１３に記憶されている高密度データクラスタのデータを記録データとしてメディアドライブ部１１に転送させる。このとき、メディアドライブ部１１は、装着されている媒体が従来ミニディスクであればＥＦＭ変調方式で、次世代ＭＤ１又は次世代ＭＤ２であればＲＬＬ（１−７）ＰＰ変調方式で高密度データクラスタの記録データを変調して書き込む。
【０１９６】
なお、ディスクドライブ装置１０において、上述した記録再生制御は、データトラックを記録再生する際の制御であり、ＭＤオーディオデータ（オーディオトラック）を記録再生する際のデータ転送は、オーディオ処理部１９を介して行われる。
【０１９７】
オーディオ処理部１９は、入力系として、例えば、ライン入力回路／マイクロフォン入力回路等のアナログ音声信号入力部、Ａ／Ｄ変換器、及びデジタルオーディオデータ入力部を備える。また、オーディオ処理部１９は、ＡＴＲＡＣ圧縮エンコーダ／デコーダ、圧縮データのバッファメモリを備える。さらに、オーディオ処理部１９は、出力系として、デジタルオーディオデータ出力部、Ｄ／Ａ変換器及びライン出力回路／ヘッドホン出力回路等のアナログ音声信号出力部を備えている。
【０１９８】
ディスク９０に対してオーディオトラックが記録されるのは、オーディオ処理部１９にデジタルオーディオデータ（又は、アナログ音声信号）が入力される場合である。入力されたリニアＰＣＭデジタルオーディオデータ、或いはアナログ音声信号で入力された後、Ａ／Ｄ変換器で変換されて得られたリニアＰＣＭオーディオデータは、ＡＴＲＡＣ圧縮エンコードされ、バッファメモリに蓄積される。その後、所定タイミング（ＡＤＩＰクラスタ相当のデータ単位）でバッファメモリから読み出され、メディアドライブ部１１に転送される。
【０１９９】
メディアドライブ部１１では、転送された圧縮データを第１の変調方式ＥＦＭ変調方式又はＲＬＬ（１−７）ＰＰ変調方式で変調してディスク９０にオーディオトラックとして書き込む。
【０２００】
メディアドライブ部１１は、ディスク９０からオーディオトラックを再生する場合、再生データをＡＴＲＡＣ圧縮データ状態に復調してオーディオ処理部１９に転送する。オーディオ処理部１９は、ＡＴＲＡＣ圧縮デコードを行ってリニアＰＣＭオーディオデータとし、デジタルオーディオデータ出力部から出力する。或いは、Ｄ／Ａ変換器によりアナログ音声信号としてライン出力／ヘッドホン出力を行う。
【０２０１】
なお、この図２３に示す構成は、一例であって、例えば、ディスクドライブ装置１をＰＣ１００に接続してデータトラックのみ記録再生する外部ストレージ機器として使用する場合は、オーディオ処理部１９は、不要である。一方、オーディオ信号を記録再生することを主たる目的とする場合、オーディオ処理部１９を備え、さらにユーザインターフェースとして操作部や表示部を備えることが好適である。また、ＰＣ１００との接続は、ＵＳＢに限らず、例えば、ＩＥＥＥ（The Institute of Electrical and Electronics Engineers,Inc.：アメリカ電気・電子技術者協会）の定める規格に準拠した、いわゆるＩＥＥＥ１３９４インターフェースのほか、汎用の接続インターフェースが適用できる。
【０２０２】
データ領域に対するアクセスでは、例えば、外部のＰＣ１００からディスクドライブ装置１０のドライブコントローラ１８に対して、ＵＳＢインターフェース１６を経由して「論理セクタ（以下、ＦＡＴセクタと記す。）」単位で記録又は再生する指示が与えられる。データクラスタは、ＰＣ１００からみれば、２０４８バイト単位に区切られてＵＳＮの昇順にＦＡＴファイルシステムに基づいて管理されている。一方、ディスク９０におけるデータトラックの最小書換単位は、それぞれ６５，５３６バイトの大きさを有した次世代ＭＤクラスタであり、この次世代ＭＤクラスタには、ＬＣＮが与えられている。
【０２０３】
ＦＡＴにより参照されるデータセクタのサイズは、次世代ＭＤクラスタよりも小さい。そのため、ディスクドライブ装置１０では、ＦＡＴにより参照されるユーザセクタを物理的なＡＤＩＰアドレスに変換するとともに、ＦＡＴにより参照されるデータセクタ単位での読み書きをクラスタバッファメモリ１３を用いて、次世代ＭＤクラスタ単位での読み書きに変換する必要がある。
【０２０４】
このようなディスクドライブ装置を上述の課金管理システムにおける記録再生装置として使用すれば、装填されたＭＤが第１世代ＭＤ、次世代ＭＤ１、又は次世代ＭＤ２か等のディスク判別をし、例えばプリペイドメディアとしての次世代ＭＤ２であると判別した場合に、ディスクのＵＩＤ及び装置ＵＩＤをＰＣ１００に送り、手軽且つ安全にコンテンツを購入することができる。
【図面の簡単な説明】
【０２０５】
【図１】本発明の実施の形態における課金情報管理システムを示すブロック図である。
【図２】（ａ）及び（ｂ）は、上記課金情報管理システムにおける決済サーバが参照する未使用ディスクＤＢ１０６ａ及び使用ディスクＤＢ１０６ｂを示す模式図である。
【図３】上記課金情報管理システムにおける記録再生装置の一例を示すブロック図である。
【図４】上記課金情報管理システムにおける通信制御装置を示すブロック図である
【図５】上記課金情報管理システムにおける決済サーバを示すブロック図である。
【図６】上記課金情報管理システムにおける決済サーバが参照する使用データベースの他の例を示す図である。
【図７】上記課金情報管理システムの記録再生装置における処理方法を示すフローチャートである。
【図８】上記課金情報管理システムの通信制御装置における処理方法を示すフローチャートである。
【図９】上記課金情報管理システムの決済サーバにおける処理方法を示すフローチャートである。
【図１０】上記課金情報管理システムのコンテンツ管理サーバにおける処理方法を示すフローチャートである。
【図１１】ＵＩＤ記録エリアがミラー部に設けられた、本実施の形態に好適に使用可能な光磁気ディスクの具体例を示す図である。
【図１２】上記光磁気ディスクのゾーン分割を示す図である。
【図１３】上記光磁気ディスクのゾーン内でのウォブルの波数を概略的に示す図である。
【図１４】上記光磁気ディスクにおける隣接トラック間のウォブルの波数を同じにした様子を示す図である。
【図１５】次世代ＭＤ２に対して情報信号を記録再生する記録再生装置のブロック図である。
【図１６】上記記録再生装置におけるＡＤＩＰデコーダの詳細な構成を示すブロック図である。
【図１７】次世代ＭＤ２のデータフォーマットを示す図である。
【図１８】上記次世代ＭＤ２におけるＵＩＤのフォーマットを示す図である。
【図１９】（ａ）乃至（ｃ）は、夫々ＵＩＤレコードブロックを示す図、ＵＩＤコードのフォーマットを示す図、及びＵＩＤレコードブロックの配列順を模式的に示す図である。
【図２０】ＵＩＤデコーダ（ＵＩＤ検出回路）の一例を示すブロック図である。
【図２１】上記ＵＩＤを読み出すときの光ディスク記録再生装置側での処理手順を示すフローチャートである。
【図２２】ミニディスク（第１世代ＭＤ）、次世代ＭＤ１及び次世代ＭＤ２を記録再生するための記録再生装置の構成を示すブロック図である。
【図２３】図２２に示す記録再生装置を搭載したディスクドライブ装置の構成を示すブロック図である。
【符号の説明】
【０２０６】
１０１  課金情報管理システム、１０２  ディスク、１０３  記録再生装置、１０３ａ  記憶部、１０３ｂ  暗号化部、１０４  通信制御装置、１０５  ネットワーク、１０６  決済サーバ、１０７  コンテンツ提供サーバ、１０６ａ  未使用ディスクＤＢ、１０６ｂ  使用ディスクＤＢ
【図１】
2005078213.tif 000003
【図２】
2005078213.tif 000004
【図３】
2005078213.tif 000005
【図４】
2005078213.tif 000006
【図５】
2005078213.tif 000007
【図６】
2005078213.tif 000008
【図７】
2005078213.tif 000009
【図８】
2005078213.tif 000010
【図９】
2005078213.tif 000011
【図１０】
2005078213.tif 000012
【図１１】
2005078213.tif 000013
【図１２】
2005078213.tif 000014
【図１３】
2005078213.tif 000015
【図１４】
2005078213.tif 000016
【図１５】
2005078213.tif 000017
【図１６】
2005078213.tif 000018
【図１７】
2005078213.tif 000019
【図１８】
2005078213.tif 000020
【図１９】
2005078213.tif 000021
【図２０】
2005078213.tif 000022
【図２１】
2005078213.tif 000023
【図２２】
2005078213.tif 000024
【図２３】
2005078213.tif 000025